(57)【特許請求の範囲】
【請求項１】
無線端末からの要求帯域に基いて、該無線端末に無線帯域を割当てる無線基地局において、
該無線基地局により割当てられた無線帯域を用いて、１又は複数のユーザパケットについて分割又は結合処理を施して得られたデータを送信する該無線端末から該データを受信する受信部と、
受信した該データに含まれる分割又は結合に関する情報に基いて、該無線端末に割当てる無線帯域の総量を増加又は減少する更新部と、
を備えたことを特徴とする無線基地局。
【請求項２】
前記更新部は、受信した前記データに含まれるヘッダに基いて前記無線帯域の総量の増加又は減少を行う、
ことを特徴とする請求項１記載の無線基地局。
【請求項３】
前記更新部は、受信した前記データに含まれるヘッダが分割に関する場合は、前記無線帯域の総量を増加させ、受信した前記データに含まれるヘッダが結合に関する場合は、前記無線帯域の総量を減少させる、
ことを特徴とする請求項１記載の無線基地局。
【請求項４】
前記要求帯域に基いて前記無線端末について割当て予定無線帯域を管理する管理部を備え、
該無線端末に対して無線帯域の割り当てを行うと、該管理部は、該割当て予定無線帯域を減少させ、
前記更新部は、該割当て予定の更新を行うことで、前記無線帯域の総量の更新を行う、
ことを特徴とする請求項１記載の無線基地局。
【請求項５】
無線端末からの要求帯域に基いて、該無線端末に無線帯域を割当てる無線基地局において、
該無線基地局により割当てられた無線帯域を用いて、データに応答メッセージを含めて送信し得る該無線端末から該データを受信する受信部と、
受信した該データに、前記応答メッセージが含まれる場合に、該無線端末に割当てる無線帯域の総量を増加する更新部と、
を備えたことを特徴とする無線基地局。
【請求項６】
前記応答メッセージは、前記無線基地局における再送制御において用いられる受信結果を示すメッセージである、
ことを特徴とする請求項５記載の無線基地局。
【請求項７】
無線端末から要求帯域情報を送信し、無線基地局が該要求帯域情報に応じて該無線端末に対して無線帯域を割当てる無線帯域割当て方法において、
該無線基地局により割当てられた無線帯域を用いて、該無線端末からデータを送信し、
該無線基地局は、該データを受信し、
該無線基地局は、受信した該データに含まれる分割又は結合に関する情報又は該無線端末からの応答メッセージに応じて、該無線端末に割当てる無線帯域の総量を増加又は減少する、
ことを特徴とする無線帯域割当て方法。
【請求項８】
ユーザパケットを無線パケットにカプセル化して無線基地局と無線端末との間で通信する無線通信システムの無線帯域割当て方法であって、
前記無線端末は、一又は複数の前記無線パケットのデータ量を送信するための無線帯域を要求する帯域要求情報を生成して前記無線基地局に送信し、
前記無線基地局は、受信した前記帯域要求情報を基に帯域要求量を更新し、前記帯域要求量に基づいて前記無線端末に対する無線帯域の割当てを行う無線帯域割当て方法において、
前記無線端末は、前記無線基地局から割当てられた無線帯域に応じて、複数のユーザパケットを結合して一の無線パケットにカプセル化、又は、一のユーザパケットを分割して複数の無線パケットにカプセル化して前記無線基地局に送信し、
前記無線基地局は、受信した前記無線パケットに結合されたユーザパケット又は分割されたユーザパケットがカプセル化されていることを検知したとき、結合又は分割の状態に応じて、オーバーヘッド相当分を増減して前記帯域要求量の更新を行う
ことを特徴とする無線帯域割当て方法。
【請求項９】
請求項８記載の無線帯域割当て方法において、
前記無線基地局は、受信した前記無線パケットに結合されたユーザパケットがカプセル化されていることを検知したとき、ユーザパケットの結合により省略されるオーバーヘッド相当分を減算して前記帯域要求量の更新を行う
ことを特徴とする無線帯域割当て方法。
【請求項１０】
請求項８記載の無線帯域割当て方法において、
前記無線基地局は、受信した前記無線パケットに分割されたユーザパケットがカプセル化されていることを検知したとき、ユーザパケットの分割により新たに生じるオーバーヘッド相当分を加算して前記帯域要求量の更新を行う
ことを特徴とする無線帯域割当て方法。
【請求項１１】
請求項８記載の無線帯域割当て方法において、
前記無線端末は、一又は複数のユーザパケットそれぞれに必要最低限のヘッダ及びトレイラを付加した一又は複数の無線パケットを基に前記帯域要求情報を生成する
ことを特徴とする無線帯域割当て方法。
【請求項１２】
請求項８記載の無線帯域割当て方法において、
前記無線端末は、自動再送要求のためのオーバーヘッドを付加した無線パケット送信し、
前記無線基地局は、受信した前記無線パケットに結合されたユーザパケット又は分割されたユーザパケットがカプセル化されていることを検知したとき、結合又は分割の状態に応じ、前記自動再送要求のためのオーバーヘッドを加味して、オーバーヘッド相当分を増減して前記帯域要求量の更新を行う
ことを特徴とする無線帯域割当て方法。
【請求項１３】
ユーザパケットを無線パケットにカプセル化して無線基地局と無線端末との間で通信する無線通信システムの無線基地局であって、
前記無線端末から送信される、一又は複数の前記無線パケットのデータ量を送信するための無線帯域を要求する帯域要求情報を受信し、前記帯域要求情報を基に帯域要求量を更新する帯域要求量更新手段と、
更新した前記帯域要求量に基づいて前記無線端末に対する無線帯域の割当てを行う無線帯域割当て手段を有する無線基地局において、
受信した前記無線パケットに結合されたユーザパケット又は分割されたユーザパケットがカプセル化されていることを前記無線パケットに含まれるサブヘッダから検知する検知手段を有し、
前記帯域要求量更新手段は、前記検知手段で検知した結合又は分割の状態に応じて、オーバーヘッド相当分を増減して前記帯域要求量の更新を行う
ことを特徴とする無線基地局。
【請求項１４】
請求項１３記載の無線基地局において、
前記帯域要求量更新手段は、前記検知手段でユーザパケットの結合を検知したとき、前記複数のユーザパケットを一の無線パケットにカプセル化するときに省略されるオーバーヘッド相当分を減算して前記帯域要求量の更新を行う
ことを特徴とする無線基地局。
【請求項１５】
請求項１３記載の無線基地局において、
前記帯域要求量更新手段は、前記検知手段でユーザパケットの分割を検知したとき、分割したユーザパケットを複数の無線パケットにカプセル化するときに新たに生じるオーバーヘッド相当分を加算して前記帯域要求量の更新を行う
ことを特徴とする無線基地局。
【請求項１６】
請求項１４記載の無線基地局において、
前記検知手段でユーザパケットの結合を検知したとき減算する前記オーバーヘッド相当分は、一の無線パケットに含まれるユーザパケット数と結合に用いる結合サブヘッダの情報量の乗算値と、前記ユーザパケット数から１を減算した値と前記無線パケットのヘッダとトレイラの合計情報量の乗算値との差分値である
ことを特徴とする無線基地局。
【請求項１７】
請求項１５記載の無線基地局において、
前記検知手段でユーザパケットの分割を検知したとき加算する前記オーバーヘッド相当分は、
分割されたユーザパケットの先頭が含まれる無線パケットで、分割を表す分割サブヘッダの情報量の２倍と、前記無線パケットのヘッダとトレイラの合計情報量との加算値であり、
分割されたユーザパケットの最後尾が含まれる無線パケットで、前記分割サブヘッダの情報量と、前記無線パケットのヘッダとトレイラの合計情報量との加算値である
ことを特徴とする無線基地局。
【請求項１８】
請求項１６記載の無線基地局において、
分割されたユーザパケットの先頭と他のユーザパケットが含まれる無線パケットで、前記分割サブヘッダの情報量と、前記無線パケットのヘッダとトレイラの合計情報量との加算値を前記オーバーヘッド相当分に加算し、
分割されたユーザパケットの最後尾と他のユーザパケットが含まれる無線パケットで、前記分割サブヘッダの情報量を前記オーバーヘッド相当分に減算する
ことを特徴とする無線基地局。
【請求項１９】
請求項１４記載の無線基地局において、
前記無線端末が自動再送要求のためのオーバーヘッドを付加した無線パケットを送信する場合、
前記検知手段でユーザパケットの結合を検知したとき減算する前記オーバーヘッド相当分は、一の無線パケットに含まれるユーザパケット数と結合に用いる結合サブヘッダの情報量と分割を表す分割サブヘッダの情報量の差との乗算値と、前記ユーザパケット数から１を減算した値と前記無線パケットのヘッダとトレイラの合計情報量の乗算値との差分値である
ことを特徴とする無線基地局。
【発明の詳細な説明】
【技術分野】
【０００１】
本発明は、無線帯域割当て方法及び無線基地局に関する。本発明は、ユーザパケットを無線パケットにカプセル化して得られたデータを無線基地局と無線端末との間で通信する無線通信システムにおける無線帯域割当て方法及び無線基地局に適用するのが特に好適である。
【背景技術】
【０００２】
無線帯域割り当てを行う無線通信システムの例として、ＩＥＥＥ８０２．１６Ｗｏｒｋｉｎｇ  Ｇｒｏｕｐによって標準化が進められた技術がある。
【０００３】
ＩＥＥＥ８０２．１６  Ｗｏｒｋｉｎｇ  Ｇｒｏｕｐでは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）と呼ばれ、無線基地局に複数の端末が接続可能なＰｏｉｎｔ−ｔｏ−Ｍｕｌｔｉｐｏｉｎｔ（Ｐ−ＭＰ）型通信方式を規定している。ＩＥＥＥ８０２．１６では、主に固定通信用途向けのＩＥＥＥ８０２．１６ｄ仕様（非特許文献１参照）と移動通信用途向けのＩＥＥＥ８０２．１６ｅ仕様（非特許文献２参照）の２種類を規定しており、これらでは複数の物理層が規定されているが、ＯＦＤＭやＯＦＤＭＡなどの技術が主に使用される。
【０００４】
図１に、ＩＥＥＥ８０２．１６ｄ／ｅのサービスイメージを示す。図示のように、１台のＢＳ（無線基地局；Ｂａｓｅ  Ｓｔａｔｉｏｎ）に複数のＭＳ（無線端末）が接続するＰ−ＭＰ型接続を基本とする。
【０００５】
ＩＥＥＥ８０２．１６では、ＭＳがデータを送信するときには、ＢＳにより無線帯域を割当ててもらう。このとき、ＭＳが帯域割当てをＢＳに要求するには、まず、Ｂａｎｄｗｉｄｔｈ  Ｒｅｑｕｅｓｔ  ＣＤＭＡ  Ｃｏｄｅ（以下、ＢＲコードと略す）を送信する。
【０００６】
図２は、ＭＳがＢＲコードを送信してから、実際に、データを送信するための帯域が割当てられるまでのシーケンスを示す。同図中、ＢＲコードを受信したＢＳは、ＭＳがＢａｎｄｗｉｄｔｈ  Ｒｅｑｕｅｓｔ  Ｈｅａｄｅｒ（以下、ＢＲヘッダと略す）を送信するための帯域を割当てるために、ＣＤＭＡ＿Ａｌｌｏｃａｔｉｏｎ−ＩＥを含むＵＬ−ＭＡＰメッセージを送信する。
【０００７】
このＵＬ−ＭＡＰメッセージを受信し、ＢＲヘッダを送信するための帯域が割当てられたら、ＭＳはＢＲヘッダをＢＳに送信する。ＢＲヘッダはＣｏｎｎｅｃｔｉｏｎ  ＩＤ（ＣＩＤ）と送信したいデータのサイズ（バイト数）を含む。ＢＳは、ＣＩＤからサービス品質（ＱｏＳ：Ｑｕａｌｉｔｙ  ｏｆ  ｓｅｒｖｉｃｅ）情報を取得することができる。なお、ＱｏＳ情報は、コネクション設定時にＢＳとＭＳ間で交換される。
【０００８】
そして、ＢＳはＱｏＳ情報を考慮して、要求されたデータを送信するための帯域を割当てるか否かを判断する。すなわち、複数のＭＳから要求を受信した場合、高いＱｏＳが要求されるコネクションを優先して、帯域を割当てるようにする。帯域の割当ては、ＵＬ−ＭＡＰメッセージにより行われ、同メッセージで割当てられた帯域を用いて、ＭＳはデータ（ＭＡＣ−ＰＤＵ）をＢＳに送信する。
【０００９】
図３に、ＣＤＭＡ＿Ａｌｌｏｃａｔｉｏｎ−ＩＥを含むＵＬ−ＭＡＰメッセージのフォーマットを示す。同図に示すように、ＣＤＭＡ＿Ａｌｌｏｃ−ＩＥに含まれるＲａｎｇｉｎｇ  Ｃｏｄｅ、  Ｒａｎｇｉｎｇ  Ｓｙｍｂｏｌ、  Ｒａｎｇｉｎｇ  Ｓｕｂｃｈａｎｎｅｌによって、ＢＲコードの送信ＭＳが、自分に無線リソースが割当てられたか否かを判別することができる。
【００１０】
一方、ＢＲヘッダなどを受信した場合、ＢＳは、無線リソースが必要なＣＩＤを特定できるので、ＢＲコード受信時とは異なるフォーマットで無線リソースを割当てることができる。
【００１１】
図４に、ＢＲヘッダ等の受信に応じて生成されるＵＬ−ＭＡＰメッセージ例を示す。図３と図４を比較して分かるように、ＢＲヘッダに対する割当て情報の方が、ＢＲコードに対する割当て情報よりも少ないビット数で済み、制御情報のオーバーヘッドを減らすことになる。
【００１２】
図５（Ａ）にＢＲヘッダのフォーマットを示し、図５（Ｂ）にＢＲヘッダの各フィードの意味を示す。同図に記載されている通り、ＢＲヘッダはＣＩＤ単位に送信され、最大５２４ＫＢ程度までの要求帯域を表現できる。また、要求形式（Ｔｙｐｅ）として、ｉｎｃｒｅｍｅｎｔａｌとａｇｇｒｅｇａｔｅがある。ｉｎｃｒｅｍｅｎｔａｌは、新たに要求する割当て量を表し、一方、ａｇｇｒｅｇａｔｅは、要求している総量を表す。ａｇｇｒｅｇａｔｅは、定期的に送信される。
【００１３】
また、帯域要求は、本メッセージの他に、Ｇｒａｎｔ  Ｍａｎａｇｅｍｎｅｔ  Ｓｕｂｈｅａｄｅｒによるピギーバックリクエスト（ｉｎｃｒｅｍｅｎｔａｌのみ）がある。
【００１４】
図６（Ａ）にＧｒａｎｔ  Ｍａｎａｇｅｍｅｎｔ  Ｓｕｂｈｅａｄｅｒ（ＰＢＲ；ピギーバックリクエスト）フォーマットを示し、図６（Ｂ）にＧｒａｎｔ  Ｍａｎａｇｅｍｅｎｔ  Ｓｕｂｈｅａｄｅｒ  Ｈｅａｄｅｒ  Ｆｉｅｌｄの意味を示す。同図中、ＰＢＲは、ＭＳが送信するデータ、すなわち、ＭＡＣ−ＰＤＵ（Ｐａｃｋｅｔ  Ｄａｔａ  Ｕｎｉｔ）に付加して、ＢＳに送信される。
【００１５】
図６（Ｃ）にＭＡＣ−ＰＤＵのフォーマットを示す。ＭＡＣ−ＰＤＵは、ＧＭＨ（Ｇｅｎｅｒｉｃ  ＭＡＣ  Ｈｅａｄｅｒ）と呼ばれるヘッダが先頭に位置する。そして、ビット誤りを検出するためのＣＲＣ（Ｃｙｃｌｉｃ  Ｒｅｄｕｎｄａｎｃｙ  Ｃｏｄｅ）がＭＡＣ−ＰＤＵの最後尾に位置する。ＳＤＵ（Ｓｅｒｖｉｃｅ  Ｄａｔａ  Ｕｎｉｔ）は、ユーザデータ、例えば、ＩＰ（Ｉｎｔｅｒｎｅｔ  Ｐｒｏｔｏｃｏｌ）パケット等である。ＰＢＲは、ＧＭＨとＳＤＵの間で送信される。
【００１６】
上述のＢＲヘッダ又はＰＢＲは、それぞれ送信するＭＡＣ−ＰＤＵに相当するバイト数をＢＳに通知する。なお、図５（Ｂ）において、ＢＲの欄に「ＰＨＹ（物理層）オーバーヘッドを除く」と記載されているのは、例えば誤り訂正符号の符号化率が１／２の場合、送信するデータ量は２倍となるが、この増分は含まれないことを意味する。これは、電波環境に応じて符号化率が変わるためである。
【００１７】
また、無線リソースを効率的に使用するために、ＳＤＵのカプセル化処理を実行することができる。即ち、複数のＳＤＵを一つのＰＤＵ（Ｐａｃｋｅｔ  Ｄａｔａ  Ｕｎｉｔ）に格納して転送するパッキング（Ｐａｃｋｉｎｇ）を行ったり、一つのＳＤＵを分割して複数のＰＤＵで送信するフラグメンテーション（Ｆｒａｇｍｅｎｔａｔｉｏｎ）を行ったりすることができる。
【００１８】
パッキングあるいはフラグメンテーションを行うときには、シーケンス番号を含むサブヘッダがＰＤＵに挿入される。
【００１９】
図７に、パッキングの一例を示す。パッキングサブヘッダ（ＰＳＨ；Ｐａｃｋｉｎｇ  Ｓｕｂｈｅａｄｅｒ）は、複数のＭＡＣ−ＳＤＵを１つのＭＡＣ−ＰＤＵとする際に、ＳＤＵ単位のシーケンス番号フラグメントの位置を表すコントロールビット及びＳＤＵ長を付加するために用いられる。パッキングされるＳＤＵは、ＧＭＨを共有することからも分かるように、同一ＣＩＤのＳＤＵが同じＰＤＵにパッキングされる。
【００２０】
パッキングサブヘッダ（ＰＳＨ）のフォーマットは、ＡＲＱの有無などにより以下の３パターンがある。
【００２１】
図８（Ａ）に示すＡＲＱ−ｅｎａｂｌｅｄ  ｃｏｎｎｅｃｔｉｏｎ、図８（Ｂ）に示すＡＲＱ−ｄｉｓａｂｌｅｄ  ａｎｄ  Ｅｘｔｅｎｄ−Ｔｙｐｅ  ｃｏｎｎｅｃｔｉｏｎ、図８（Ｃ）に示すＡＲＱ−Ｄｉｓａｂｌｅｄ  ａｎｄ  ｎｏｎ−Ｅｘｔｅｎｄｅｄ−Ｔｙｐｅ  ｃｏｎｎｅｃｔｉｏｎである。なお、図８（Ｄ）に各フィールドの説明を示す。
【００２２】
図９に、フラグメンテーションの一例を示す。フラグメンテーションサブヘッダ（ＦＳＨ；Ｆｒａｇｍｅｎｔａｔｉｏｎ  Ｓｕｂｈｅａｄｅｒ）は、ＭＡＣ−ＳＤＵが複数のＭＡＣ−ＰＤＵに分割されて送信される場合に、ＳＤＵ単位のシーケンス番号及びフラグメントの位置を表すコントロールビットを付加するために用いられる。
【００２３】
フラグメンテーションサブヘッダのフォーマットは、ＡＲＱの有無などにより以下の３パターンがある。
【００２４】
図１０（Ａ）に示すＡＲＱ−ｅｎａｂｌｅｄ  ｃｏｎｎｅｃｔｉｏｎ、図１０（Ｂ）に示すＡＲＱ−ｄｉｓａｂｌｅｄ  ａｎｄ  Ｅｘｔｅｎｄ−Ｔｙｐｅ  ｃｏｎｎｅｃｔｉｏｎ、図１０（Ｃ）に示すＡＲＱ−Ｄｉｓａｂｌｅｄ  ａｎｄ  ｎｏｎ−Ｅｘｔｅｎｄｅｄ−Ｔｙｐｅ  ｃｏｎｎｅｃｔｉｏｎである。なお、図１０（Ｄ）に各フィールドの説明を示す。
【００２５】
ＢＳＮとＦＳＮは、共にシーケンス番号であることでは同じであるが、ＦＳＮがＭＡＣ−ＳＤＵ毎に１ずつインクリメントされるのに対し、ＢＳＮは、ＭＡＣ−ＳＤＵ毎に１ずつインクリメントされるわけではない点が異なっている。
【非特許文献１】ＩＥＥＥ  Ｓｔｄ  ８０２．１６(tm)−２００４
【非特許文献２】ＩＥＥＥ  Ｓｔｄ  ８０２．１６ｅ(tm)−２００５
【発明の開示】
【発明が解決しようとする課題】
【００２６】
ＭＳ（無線端末）はＢＳ（基地局）から与えられた無線リソースに応じて、カプセル化（パッキング（結合））又はフラグメンテーション（分割）を行う。ここで、フラグメンテーションが行われた場合、１つのＳＤＵを複数に分割して送信するため、ヘッダやＣＲＣ等に相当するオーバーヘッドが発生することがある。
【００２７】
図１１に、フラグメンテーションに伴うオーバーヘッドの発生過程を示す。
【００２８】
同図中、ＭＳは１５００バイトのＳＤＵ（例：ＩＰパケット）を送信するために、ＢＷ（Ｂａｎｄｗｉｄｔｈ）リクエストヘッダを用いて、ヘッダ（６バイト）とＣＲＣ（４バイト）分を加えた計１５１０バイト分の無線リソースの割当てをＢＳに要求する。
【００２９】
ＢＳは利用可能な無線リソースからＭＳが５００バイト分の無線リソースを割当てる。このとき、ＢＳは残り１０１０バイトと認識することになる。一方、同無線リソースを割当てられたＭＳは、ＳＤＵを４８８バイトと１０１２バイトに分割して、４８８バイトの分割ＳＤＵに、ヘッダとＦＳＨとＣＲＣを付加した５００バイトのＰＤＵをＢＳに送信する。残った１０１２バイト分のＳＤＵにはヘッダ、ＦＳＨとＣＲＣが新たに付加され、１０２４バイトのＰＤＵとなる。
【００３０】
このように、ＢＳは残り１０１０バイトと認識している一方、ＭＳには１０２４バイトのデータが存在することになる。ＭＳは、この差分をＢＳに通知する。この例では、ＢＳが１５１０バイト分の帯域割当てを行った後、３８バイト分の追加要求を出している。もちろん、追加分が発生した時点で、適時ピギーバックリクエストなどを使って、追加要求をすることもできる。
【００３１】
このように、新たに発生した追加オーバーヘッド分を要求するために、ＢＲヘッダあるいはピギーバックリクエストをＢＳに送信する必要があり、無線リソースを浪費するという問題がある。
【００３２】
また、逆に、ＭＳがパッキングして複数のＳＤＵを１つのＰＤＵに結合して送信した場合、オーバーヘッドが削減されることになるが、ＢＳがその削減分を認識せずに余分にＭＳに無線リソースを割当てるため、その無線リソースが無駄になるという問題がある。
【００３３】
本発明は、上記の点に鑑みなされたものであり、帯域を節約の浪費を抑制した無線帯域割当て方法及び無線基地局を提供することを目的とする。
【００３４】
好ましくは、更に、本発明は、パケットの分割で発生するオーバーヘッドの追加とパケットの結合で発生するオーバーヘッドの削減を正確に認識でき、不要な帯域要求をなくすことができる無線帯域割当て方法及び無線基地局を提供することを目的とする。
【課題を解決するための手段】
【００３５】
本発明の一実施態様では、無線端末からの要求帯域に基いて、該無線端末に無線帯域を割当てる無線基地局において、無線基地局により割当てられた無線帯域を用いて、１又は複数のユーザパケットについて分割又は結合処理を施して得られたデータを送信する無線端末からデータを受信する受信部と、受信した該データに含まれる分割又は結合に関する情報に基いて、無線端末に割当てる無線帯域の総量を増加又は減少する更新部と、を備えたことを特徴とする無線基地局を用いる。
【００３６】
好ましくは、その更新部は、受信した前記データに含まれるヘッダに基いて前記無線帯域の総量の増加又は減少を行う。
【００３７】
好ましくは、その更新部は、受信した前記データに含まれるヘッダが分割に関する場合は、無線帯域の総量を増加させ、受信した前記データに含まれるヘッダが結合に関する場合は、無線帯域の総量を減少させる。
【００３８】
本発明の一実施態様では、無線端末からの要求帯域に基いて、該無線端末に無線帯域を割当てる無線基地局において、該無線基地局により割当てられた無線帯域を用いて、データに応答メッセージを含めて送信し得る該無線端末から該データを受信する受信部と、受信した該データに、前記応答メッセージが含まれる場合に、該無線端末に割当てる無線帯域の総量を増加する更新部と、を備えたことを特徴とする無線基地局を用いる。
【００３９】
好ましくは、応答メッセージは、前記無線基地局における再送制御において用いられる受信結果を示すメッセージである。
【００４０】
本発明の一実施態様では、無線端末から要求帯域情報を送信し、無線基地局が要求帯域情報に応じて無線端末に対して無線帯域を割当てる無線帯域割り当て方法において、無線基地局により割当てられた無線帯域を用いて、無線端末からデータを送信し、無線基地局は、データを受信し、無線基地局は、受信した該データに含まれる分割又は結合に関する情報又は無線端末からの応答メッセージに応じて、無線端末に割当てる無線帯域の総量を増加又は減少する無線帯域制御方法を用いる。
【００４１】
本発明の一実施態様による無線帯域割当て方法は、ユーザパケットを無線パケットにカプセル化して無線基地局と無線端末との間で通信する無線通信システムの無線帯域割当て方法であって、
前記無線端末は、一又は複数の前記無線パケットのデータ量を送信するための無線帯域を要求する帯域要求情報を生成して前記無線基地局に送信し、
前記無線基地局は、受信した前記帯域要求情報を基に帯域要求量を更新し、前記帯域要求量に基づいて前記無線端末に対する無線帯域の割当てを行う無線帯域割当て方法において、
前記無線端末は、前記無線基地局から割当てられた無線帯域に応じて、複数のユーザパケットを結合して一の無線パケットにカプセル化、又は、一のユーザパケットを分割して複数の無線パケットにカプセル化して前記無線基地局に送信し、
前記無線基地局は、受信した前記無線パケットに結合されたユーザパケット又は分割されたユーザパケットがカプセル化されていることを検知したとき、結合又は分割の状態に応じて、オーバーヘッド相当分を増減して前記帯域要求量の更新を行うことにより、パケットの分割で発生するオーバーヘッドの追加とパケットの結合で発生するオーバーヘッドの削減を正確に認識でき、不要な帯域要求をなくすことができる。
【００４２】
また、本発明の一実施態様による無線基地局は、ユーザパケットを無線パケットにカプセル化して無線基地局と無線端末との間で通信する無線通信システムの無線基地局であって、
前記無線端末から送信される、一又は複数の前記無線パケットのデータ量を送信するための無線帯域を要求する帯域要求情報を受信し、前記帯域要求情報を基に帯域要求量を更新する帯域要求量更新手段と、
更新した前記帯域要求量に基づいて前記無線端末に対する無線帯域の割当てを行う無線帯域割当て手段を有する無線基地局において、
受信した前記無線パケットに結合されたユーザパケット又は分割されたユーザパケットがカプセル化されていることを前記無線パケットに含まれるサブヘッダから検知する検知手段を有し、
前記帯域要求量更新手段は、前記検知手段で検知した結合又は分割の状態に応じて、オーバーヘッド相当分を増減して前記帯域要求量の更新を行うことにより、パケットの分割で発生するオーバーヘッドの追加とパケットの結合で発生するオーバーヘッドの削減を正確に認識でき、不要な帯域要求をなくすことができる。
【発明の効果】
【００４３】
本発明によれば、帯域を節約の浪費を抑制した無線帯域割当て方法及び無線基地局を提供することができる。
【００４４】
更に、好ましい例では、パケットの分割で発生するオーバーヘッドの追加とパケットの結合で発生するオーバーヘッドの削減を正確に認識でき、不要な帯域要求をなくし、その分の無線リソースを有効に利用することができ、また、帯域要求にかかる遅延をなくすことができる。
【発明を実施するための最良の形態】
【００４５】
以下、図面に基づいて本発明の実施形態について説明する。
【００４６】
<無線通信システム>
図１２に、本発明が適応される無線通信システムの一実施形態の構成図を示す。本システムは、無線基地局ＢＳと一又は複数の無線端末ＭＳを備えている。
【００４７】
<無線基地局の構成>
図１３は、無線基地局の一実施形態のブロック構成図を示す。同図中、無線基地局１０は、無線端末との間で無線信号を送受信するためのアンテナ１１、アンテナを送受信系で共用するためのデュプレクサ１２、更に、受信系統として、受信部１３、受信信号を復調する復調部１４、復調した受信信号を復号する復号化部１５、復号データから制御データ（例えば、ＢＲヘッダ）を抽出して制御部２０に与えると共に、ユーザデータ等の他のデータをパケット再生部１７に転送する制御データ抽出部１６、制御データ抽出部１６から転送されたデータをパケット化してＮＷインタフェース部２２に引き渡すと共にパッキングサブヘッダ（ＰＳＨ）やフラグメンテーションサブヘッダ（ＦＳＨ）を取り出して制御部２０に供給するパケット再生部１７を有する。
【００４８】
ＮＷインタフェース部２２は図示しないルーティング装置との間のインタフェースを形成してパケット通信を行う。なお、ルーティング装置は複数の無線基地局と接続されており、パケットデータ等のデータの方路制御を行う。
【００４９】
パケット識別部２３は、ＮＷインタフェース部２２から受信したパケットデータに含まれるＩＰアドレスを識別し、ＩＰアドレスデータに基づいて宛先ＭＳを特定する。例えば、ＩＰアドレスデータとＭＳのＩＤの対応を記憶しておき、対応するＭＳのＩＤを取得する。これと共に、ＩＤに対応するＱｏＳ情報を取得し、同様にＩＤに対応させて記憶しておき、制御部２０にＩＤ、ＱｏＳ情報、データサイズを与えて帯域割当て要求を行い、ＮＷインタフェース部２２から渡されたパケットデータをパケットバッファ部２４に格納する。
【００５０】
制御部２０は、ダウンリンク方向（ＢＳからＭＳ方向）のトラフィックに関して、パケット識別部２３から帯域割当て要求を受けると、ＱｏＳに応じて、帯域を割当てるＭＳを選択し、ユーザデータの送信をスケジューリングするように、パケットバッファ部２４及びＰＤＵ生成部２５に指示を行う。また、制御部２０は、制御データの生成を行い、ユーザデータと同様にＰＤＵ生成部２５に指示してＭＳに送信する。
【００５１】
一方、制御部２０は、アップリンク方向（ＢＳからＭＳ方向）のトラフィックに関して、制御メッセージ抽出部１６から与えられたＢＲヘッダの情報を基に帯域要求量を管理し、ＭＳにアップリンクの帯域を割当てる割当て情報（ＭＡＰメッセージ）を生成し、ＭＳに送信するようにＰＤＵ生成部２５に指示する。
【００５２】
また、制御部２０は、受信した制御データの処理も行う。例えば、ＭＳのサポートする機能の登録、認証、鍵生成・交換や無線チャネルの状態管理などを行う。また、制御部２０は、記憶部２１と接続されており、記憶部２１には、ＢＳが記憶すべき各種データが記憶される。例えば、ＭＳから受信した制御データに含まれるＭＳの機能情報、認証情報、鍵情報、無線チャネル情報やコネクションのＱｏＳ情報等を記憶する。また、ＢＳのリソースの使用状況を管理記憶するために記憶部２１を利用する。後述の帯域要求量管理テーブルは記憶部２１に記憶される。
【００５３】
ＰＤＵ生成部２５は、同期信号（プリアンブル）を基準として形成される無線フレーム内に、ユーザデータ及び制御データの送信データが格納されるようにＰＤＵを生成し、符号化部２６に送出する。符号化部２６、変調部２７、送信部２８はそれぞれ、順にＰＤＵデータを誤り訂正符号化等の符号化処理を施してから変調し、送信部２８からアンテナ１１を介して無線信号として送信する。
【００５４】
<無線端末の構成>
図１４は、無線端末の一実施形態のブロック構成図を示す。同図中、無線端末３０は、無線基地局との間で無線信号を送受信するためのアンテナ３１、アンテナを送受信系で共用するためのデュプレクサ３２、更に、受信処理部３３として、受信部３４、受信信号を復調する復調部３５、復調した受信信号を復号する復号化部３６、復号データから制御データを抽出して制御部４０に引き渡すとともに、ユーザデータ等の他のデータをデータ処理部３８に転送する制御データ抽出部３７を有する。
【００５５】
データ処理部３８は、受信データに含まれる各種データの表示処理、音声出力処理等を行う。また、データ処理部３８は、通信先の装置に対して送信を希望するユーザデータを送信処理部４２のＰＤＵバッファ部４３に与える。
【００５６】
ＰＤＵバッファ部４３は、データ処理部３８からの送信データを格納し、制御部４０からの指定に基づいて格納されている送信データを読み出して符号化部４４に出力する。
【００５７】
符号化部４４及び変調部４５は、ＰＤＵバッファ部４３からの送信データを制御部４０の制御のもと、送信データについて符号化、変調処理を実行し、アンテナ３１を介して無線信号を送信する。
【００５８】
制御部４０は、ＢＳと送受信する制御データの処理を行う。例えばＭＳのサポートする機能の登録、認証、鍵生成・交換や無線チャネルの状態管理などを行う。また、制御部４０は、ＢＳから送信されるアップリンクの帯域の割当て情報を基に、送信処理部４２を制御して、ユーザデータあるいは制御データをＢＳに送信する。帯域の割当てが必要な場合は、帯域割当の必要なコネクションのＢＲヘッダをＢＳに送信するように、送信処理部４２に指示する。
【００５９】
<第１実施形態>
この実施形態では、無線基地局は、無線端末からの要求帯域に基いて、この無線端末に無線帯域を割当てる処理を行うが、割当てた無線帯域を用いてこの無線端末が、一又は複数のユーザパケットについて分割又は結合処理を施して得られたデータを送信する場合に、この無線基地局は、このデータを受信し、受信したデータに含まれる分割又は結合に関する情報に基いて、無線端末に割当てる無線帯域の総量を増加又は減少することとする。
【００６０】
これにより、無線端末においてユーザパケットについて分割又は結合処理を施した場合であっても、無線端末に割当てる無線帯域の総量を柔軟に更新することができることとなる。
【００６１】
<ＭＳにおける送信データ発生時処理>
図１５に、ＭＳにおけるユーザデータを含むユーザパケット等の送信データ（ＳＤＵ）発生（生成）時のフローチャートを示す。同図中、ＭＳでは、上位レイヤプロトコルがＳＤＵ（ＩＰパケット等）を生成すると（ステップＳ１）、ＳＤＵのヘッダ情報からコネクションを識別する（ステップＳ２）。
【００６２】
そして、同コネクションに対応するヘッダを生成し、必要なトレイラ（ＣＲＣなど）を付加してＰＤＵ（ＳＤＵをカプセル化処理等して得られるデータ、無線パケット）を構成する（ステップＳ３）。このとき、同コネクションが暗号化対応の場合、必要な情報（例えば、Ｐａｃｋｅｔ  ＮｕｍｂｅｒやＡｕｔｈｅｎｔｉｃａｔｉｏｎ  Ｃｏｄｅなど）の付加及び暗号化が行われる。以下、Ｐａｃｋｅｔ  Ｎｕｍｂｅｒ及びＡｕｔｈｅｎｔｉｃａｔｉｏｎ  Ｃｏｄｅは、それぞれヘッダ及びトレイラとして見なすことができる。
【００６３】
そして、ＰＤＵ長を計算し（ステップＳ４）、その値を含む帯域割当て情報（例えば、ＢＲヘッダ）をＢＳに送信して、帯域割当てを要求する。ここでは、複数のＳＤＵが同時に発生した場合、各ＳＤＵを１つのＰＤＵに格納した場合、すなわち、フラグメンテーションやパッキングのない場合の各ＰＤＵ長を計算し、合計値をＢＳに送信して、帯域割当てを要求する（ステップＳ５）。
【００６４】
また、ＭＳは、ＳＤＵが生成した場合だけでなく、制御信号用のサブヘッダ等、例えば、ＡＲＱ  Ｆｅｅｄｂａｃｋヘッダ／Ｓｕｂｈｅａｄｅｒ、Ｐｉｇｇｙｂａｃｋサブヘッダなどが生じた場合、ＢＲヘッダやピギーバックＢＷ（Ｂａｎｄｗｉｄｔｈ）Ｒｅｑｕｅｓｔにより、帯域要求を行うことができる。
【００６５】
<ＭＳにおけるデータ（ＳＤＵ）送信時処理>
図１６に、ＭＳにおけるデータ（ＳＤＵ）送信時のフローチャートを示す。
【００６６】
ＢＳから無線帯域が割当てられると（ステップＳ１１）、ＭＳは、その割当て量が１つのＰＤＵを送信するのに十分か否かを判断する（ステップＳ１２）。
【００６７】
１つ目のＰＤＵを送信するのに十分な無線帯域がある場合、更に、パッキングした時のサブヘッダ増加やヘッダ及びトレイラ分の減少を考慮して、次のＰＤＵに含まれるＳＤＵの送信が可能か否かを判断する（ステップＳ１３）。
【００６８】
次のＰＤＵに含まれるＳＤＵをパッキングして送信ができない場合、１つ目のＰＤＵの送信を行う（ステップＳ１４）。このとき、次のＰＤＵを送信するための無線帯域を要求するＢＲヘッダやピギーバックＢＷリクエストを送信することもできる。また、フラグメントした後にパッキングすることも可能である。
【００６９】
一方、次のＰＤＵの送信ができる場合、ＰＤＵ内のＳＤＵを抜き出し、１つ目のＰＤＵ内のペイロードにパッキングさせて、新しいＰＤＵを生成する（ステップＳ１５）。このとき、ＰＤＵ内の各ＳＤＵにパッキングサブヘッダ（ＰＳＨ）を付加する。この動作を新しいＰＤＵを送信するための無線帯域がなくなるまで繰り返し、複数のＳＤＵがパッキングされたＰＤＵを送信する。
【００７０】
また、与えられた無線帯域で、１つ目のＰＤＵを送信できない場合、同無線帯域で送信できるだけのＰＤＵになるように、ＰＤＵに格納されたＳＤＵを分割する（ステップＳ１６）。１つ目の分割されたＳＤＵ（先頭分割ＳＤＵ）にヘッダ、トレイラ及びフラグメントサブヘッダ（ＦＳＨ）を付加してＰＤＵを構成し、送信する（ステップＳ１７）。更に、残りの分割されたＳＤＵ（最後尾分割ＳＤＵ）にも同様にヘッダ、トレイラ及びＦＳＨを付加して２つ目のＰＤＵとし、無線帯域が割当てられるのを待つ（ステップＳ１８）。
【００７１】
先頭分割ＳＤＵに付加するＦＳＨのＦＣビットは、'１０'（Ｆｉｒｓｔフラグメント）を含み、最後尾分割ＳＤＵに付加するＦＳＨのＦＣビットは、'０１'（Ｌａｓｔフラグメント）を含む。また、最後尾分割ＳＤＵが更に２つの分割ＳＤＵに分割された場合、前部分が中間分割ＳＤＵ（ＦＣビット＝'１１'（ｍｉｄｄｌｅフラグメント））、後ろ部分が最後尾分割ＳＤＵとなる。
【００７２】
<ＢＳにおける帯域要求受信時の帯域要求量更新処理>
図１７に、ＢＳにおける帯域要求受信時の帯域要求量更新のフローチャートを示す。
【００７３】
同図中、ＢＷリクエストは、ＢＲヘッダあるいはピギーバックＢＷリクエスト（ＰＢＲ）などに相当する。
【００７４】
ＢＳは、ＢＲヘッダあるいはＰＢＲを受信したとき（ステップＳ２１）、帯域要求量の更新を行う。すなわち、ＢＲヘッダあるいはＰＢＲの送信に用いられたヘッダに含まれるＣＩＤで、帯域要求量管理テーブルを検索し、同ＣＩＤに対応する帯域要求量の更新を行う（ステップＳ２２）。図１８に、帯域要求量（ＢＲ  Ｑｕａｎｔｉｔｙ）管理テーブルの一例を示す。
【００７５】
ここで、"Ａｇｇｒｅｇａｔｅ"タイプのＢＲヘッダを受信したときは、同ヘッダ内の情報を帯域要求量に上書きする。一方、"Ｉｎｃｒｅｍｅｎｔａｌ"タイプのＢＲヘッダ又はＰＢＲを受信したときは、同ＢＲヘッダ又はＰＢＲに含まれる値をテーブル内の帯域要求量に加算する。なお、ＰＢＲは全てＩｎｃｒｅｍｅｎｔａｌである。
【００７６】
<ＢＳにおける帯域割当て時の帯域要求量更新処理>
図１９に、ＢＳにおける帯域割当て時の帯域要求量更新のフローチャートを示す。
【００７７】
ＢＳは、無線フレーム（例えば、５ｍｓｅｃ）毎に（ステップＳ２３）、どのＭＳのどのＣＩＤに無線帯域を割当てるか決定し、決定したＭＡＰ情報をＭＳに送信することで無線帯域を割当てる（ステップＳ２４）。ＣＩＤに無線リソースを割当てると、同ＣＩＤの帯域要求量を更新する（ステップＳ２５）。すなわち、割当て量だけ減算する。
【００７８】
<ＢＳにおけるＰＤＵ受信時の帯域要求量更新処理>
図２０に、ＢＳにおけるＰＤＵ受信時の帯域要求量更新のフローチャートを示す。
【００７９】
ＢＳがＭＳからＰＤＵを受信すると（ステップＳ３１）、同ＰＤＵに含まれるＳＤＵがフラグメントされているか否か、あるいは、同ＰＤＵに複数のＳＤＵがパッキングされているか否かを検査する（ステップＳ３２〜Ｓ３４）。フラグメントもパッキングもない場合、帯域要求量の更新は行わずにステップＳ３１に戻る（ステップＳ３４）。
【００８０】
即ち、受信したＰＤＵに含まれる情報（ユニットの構造を示す情報（分割又は結合に関する情報を示すヘッダ情報））に基いて増加又は減少すべき帯域量を算出し、算出した帯域量に基づいて帯域要求量（割当て予定無線帯域）の更新を行うのである。
【００８１】
一方、フラグメントされた分割ＳＤＵが含まれる場合、ＦＳＨのＦＣビット値により、帯域要求量の更新方法が異なる。
（１）ＦＣビット＝'１０'Ｆｉｒｓｔフラグメントの場合
この場合、受信した先頭分割ＳＤＵに付加されたＦＳＨと、ＭＳが送信待ちの最後尾分割ＳＤＵに付加されたヘッダ、トレイラ及びＦＳＨ分が新たに生じたデータ量となる。したがって、２  ×  ＦＳＨ  ＋  ヘッダ  ＋トレイラ分を帯域要求量に加算する（ステップＳ３５，Ｓ３６）。
（２）ＦＣビット＝'１１'Ｍｉｄｄｌｅフラグメントの場合
この場合、ＭＳが送信待ちの最後尾分割ＳＤＵに付加されたヘッダ、トレイラ及びＦＳＨ分が新たに生じたデータ量となる。したがって、ＦＳＨ  ＋  ヘッダ  ＋トレイラ分を帯域要求量に加算する（ステップＳ３７，Ｓ３８）。
（３）ＦＣビット＝'０１'Ｌａｓｔフラグメントの場合
この場合、新たに生じたデータはないため、帯域要求量の更新は行わずにステップＳ３１に戻る（ステップＳ３７）。
【００８２】
受信したＰＤＵにパッキングされた複数のＳＤＵが含まれる場合、受信したＰＤＵに含まれる各ＳＤＵに付加されたＰＳＨ（パッキングサブヘッダ）分が新たに生じたデータとなり、パッキングされたＳＤＵに元々付加されていたヘッダ及びトレイラ分が減少分となる（ステップＳ３９）。すなわち、ＰＤＵに含まれるＳＤＵ数をＮとすると、Ｎ  ×  ＰＳＨ  −（Ｎ−１）×（ヘッダ  ＋トレイラ）分を帯域要求量に加算する。通常、Ｎ  ×  ＰＳＨ  <（Ｎ−１）×（ヘッダ  ＋トレイラ）の関係が成り立つので、帯域要求量は減少することになる。
【００８３】
<第１実施形態におけるフラグメント時の帯域割当／割当シーケンス>
図２１に、第１実施形態におけるフラグメント時の帯域割当／割当シーケンスの例を示す。同図では、ＭＳが１５００バイトのＳＤＵを送信するために、ヘッダ及びトレイラ（例えばＣＲＣ）を合わせて１５１０バイトの帯域要求をＢＳに送信する例を示している。
【００８４】
ＭＳは、１５１０バイトのＰＤＵを送信するための無線帯域の割当を要求する（ステップＳＱ１）。ＢＳは、利用可能な無線リソースを勘案して、ここでは、５００バイト分の無線帯域を割当てるものとする（ＳＱ２）。このとき、残り１０１０バイトの帯域要求量となる。
【００８５】
最初に、ＢＳから５００バイト分の帯域を割当てられたとき、ＭＳは、１５００バイトのＳＤＵを、４８８バイトの先頭分割ＳＤＵと１０１２バイトの最後尾分割ＳＤＵに分割し、先頭分割ＳＤＵにヘッダ（Ｈ）、トレイラ（ＣＲＣ）及びフラグメントサブヘッダ（ＦＳＨ）を付加して、５００バイトのＰＤＵを再生成し、ＢＳに送信する（ＳＱ３）。同様に、１０１２バイトの分割ＳＤＵにもヘッダ、トレイラ、フラグメントサブヘッダを付加して、ＰＤＵを構成する。なお、先頭分割ＳＤＵに付加したＦＳＨのＦＣビットは'１０'Ｆｉｒｓｔフラグメントであり、最後尾分割ＳＤＵに付加したＦＳＨのＦＣビットは'０１'Ｌａｓｔフラグメントである。
【００８６】
ＭＳから５００バイトのＰＤＵを受信すると、ＢＳは、ＦＳＨからＰＤＵにフラグメントされた先頭分割ＳＤＵが含まれていることを検知し（ＦＣビット＝'１０'Ｆｉｒｓｔフラグメント）、同ＰＤＵのＣＩＤに対応する帯域要求量に、受信したＰＤＵに付加されたＦＳＨのデータ量と、ＭＳが保持しているＳＤＵに新たに付加されたヘッダのデータ量、トレイラ、ＦＳＨのデータ量の合計である１４バイトを加算して、１０２４バイトとなる。
【００８７】
次に、ＢＳは、１０２４バイトの帯域要求量のうち、５００バイト分の無線帯域をＭＳに割当てるものとする（ＳＱ４）。このとき、ＢＳは、５２４バイトの残り帯域要求量があるものと認識する。
【００８８】
５００バイト分の無線帯域を割当てられたＭＳは、１０１２バイトのＳＤＵを更に分割し、４８８バイトの中間分割ＳＤＵと５２４バイトの最後尾分割ＳＤＵに分割する。そして中間分割ＳＤＵに、ヘッダ、トレイラ、ＦＳＨ（ＦＣビット＝'１１'Ｍｉｄｄｌｅフラグメント）を付加し、最後尾分割ＳＤＵにもヘッダ、トレイラ、ＦＳＨ（ＦＣビット＝'０１'Ｌａｓｔフラグメント）を付加して、それぞれＰＤＵを構成する。そして、中間分割ＳＤＵを含むＰＤＵをＢＳに送信する（ＳＱ５）。
【００８９】
ＭＳから５００バイトのＰＤＵを受信したＢＳは、ＦＳＨからＰＤＵにフラグメントされた中間分割ＳＤＵが含まれていることを検知し（ＦＣビット＝'１１'Ｍｉｄｄｌｅフラグメント）、同ＰＤＵのＣＩＤに対応する帯域要求量に、ＭＳが保持しているＳＤＵに新たに付加されたヘッダ、トレイラ及びＦＳＨ相当量の計１２バイトを加算して、５３６バイトとなる。
【００９０】
ステップＳＱ６で５００バイト分の無線帯域を割当てられたＭＳは、５２４バイトのＳＤＵを更に分割し、４８８バイトの中間分割ＳＤＵと３６バイトの最後尾分割ＳＤＵに分割する。そして中間分割ＳＤＵに、ヘッダ、トレイラ、ＦＳＨ（ＦＣビット＝'１１'Ｍｉｄｄｌｅフラグメント）を付加し、最後尾分割ＳＤＵにもヘッダ、トレイラ、ＦＳＨ（ＦＣビット＝'０１'Ｌａｓｔフラグメント）を付加して、それぞれＰＤＵを構成する。そして、中間分割ＳＤＵを含むＰＤＵをＢＳに送信する（ＳＱ７）。
【００９１】
ステップＳＱ７でＭＳから５００バイトのＰＤＵを受信したＢＳは、ＦＳＨからＰＤＵにフラグメントされた中間分割ＳＤＵが含まれていることを検知し（ＦＣビット＝'１１'Ｍｉｄｄｌｅフラグメント）、同ＰＤＵのＣＩＤに対応する帯域要求量に、ＭＳが保持しているＳＤＵに新たに付加されたヘッダ、トレイラ及びＦＳＨ相当量の計１２バイトを加算して、４８バイトとなる。
【００９２】
更に、ＢＳは、残っている４８バイトの帯域要求量を満たす無線帯域をＭＳに割当てるものとする。このとき、ＢＳは、残り帯域要求量が０であるものと認識する（ＳＱ８）。
【００９３】
４８バイト分の無線帯域を割当てられたＭＳは、３６バイトのＳＤＵを含むＰＤＵをＢＳに送信する（ＳＱ９）。したがって、無線基地局は、無線端末に要求された１５１０バイトと比べて３８バイト増加させた無線帯域を無線端末に割当てており、無線端末に割当てた総無線帯域が、ＦＳＨに応じて増加方向に更新されたといえる。
【００９４】
なお、ここでは、サブヘッダとして、ＦＳＨのみを考慮したが、受信したＰＤＵにその他のＦＳＨ（例えば、Ｇｒａｎｔ  Ｍａｎａｇｅｍｅｎｔサブヘッダなど）が含まれていた場合、その分も帯域要求量に加算する。更に、暗号化が施されているＰＤＵの場合、Ｐａｃｋｅｔ  ＮｕｍｂｅｒやＡｕｔｈｅｎｔｉｃａｔｉｏｎ  ＣｏｄｅがＰＤＵに含まれる場合があるが、その場合はヘッダとトレイラと同様に、その分を帯域要求量に加算する。
【００９５】
<第１実施形態におけるパッキング時の帯域割当／割当シーケンス>
図２２に、第１実施形態におけるパッキング時の帯域割当／割当シーケンスの例を示す。同図では、ＭＳが３つの５００バイトのＳＤＵを送信するために、ヘッダ及びトレイラ（例えばＣＲＣ）を合わせて１５３０バイトの帯域要求をＢＳに送信する例を示している。
【００９６】
ＭＳは、合計１５３０バイトのＰＤＵを送信するための無線帯域の割当を要求する（ステップＳＱ１０）。ＢＳは、利用可能な無線リソースを勘案して、ここでは、１０１６バイト分の無線帯域を割当てるものとする（ＳＱ１１）。このとき、残り５１４バイトの帯域要求量となる。
【００９７】
最初に、ＢＳから１０１６バイト分の帯域を割当てられたとき、ＭＳは、ＰＳＨ（パッキングサブヘッダ）を用いて２個の５００バイトのＳＤＵを結合し、ヘッダ（Ｈ）、トレイラ（ＣＲＣ）を付加して、１０１６バイトのＰＤＵを生成し、ＢＳに送信する（ＳＱ１２）。
【００９８】
ＭＳから１０１６バイトのＰＤＵを受信したＢＳは、ＰＳＨからＰＤＵにパッキングされた複数のＳＤＵが含まれていることを検知し、同ＰＤＵのＣＩＤに対応する帯域要求量に、受信したＰＤＵに含まれるＳＤＵに付加されたＰＳＨの合計量から、パッキングされたＳＤＵに元々付加されていたヘッダ及びトレイラ相当量を減算した値を帯域要求量に加えて、５１０バイトとなる。
【００９９】
ＢＳは残り５１０バイト分の無線帯域をＭＳに割当て（ＳＱ１３）、残りの帯域要求量を０とする。そして、ＭＳは割当てられた無線帯域を利用して残りのＰＤＵを送信する（ＳＱ１４）。この場合、パッキングもフラグメントもなされていないので、ＢＳは、帯域要求量の更新は行わない。したがって、無線基地局は、無線端末に要求された１５３０バイトと比べて４バイト減少させた無線帯域を無線端末に割当てており、無線端末に割当てた総無線帯域が、ＰＳＨに応じて減少方向に更新されたといえる。
【０１００】
なお、ここでは、パッキング時の動作だけを説明するために、フラグメントのない例を示した。しかしながら、フラグメントされた分割ＳＤＵをパッキングすることもありできる。その場合、先に説明したフラグメントの動作と組み合わさることになる。
【０１０１】
<第１実施形態におけるパッキング及びフラグメント時の帯域割当／割当シーケンス>
図２３に、第１実施形態におけるパッキング及びフラグメント時の帯域割当／割当シーケンスの例を示す。同図では、ＭＳが５００バイトと１５００バイトのＳＤＵを送信するために、ヘッダ及びトレイラ（例えばＣＲＣ）を合わせて２０２０バイトの帯域要求をＢＳに送信する例を示している。
【０１０２】
ＭＳは、２０２０バイト分のＰＤＵを送信するための無線帯域の割当を要求する（ＳＱ２１）。ＢＳは、利用可能な無線リソースを勘案して、ここでは、１０００バイト分の無線帯域を割当てるものとする（ＳＱ２２）。このとき、残り１０２０バイトの帯域要求量となる。
【０１０３】
最初に、ＢＳから１０００バイト分の無線帯域を割当てられたとき、ＭＳは、ＰＳＨ（パッキングサブヘッダ）を用いて、５００バイトのＳＤＵと１５００バイトのＳＤＵの先頭４８４バイト分の分割ＳＤＵを結合し、ヘッダ（Ｈ）、トレイラ（ＣＲＣ）を付加して、１０００バイトのＰＤＵを生成し、ＢＳに送信する（ＳＱ２３）。４８４バイトの分割ＳＤＵに付加されるＰＳＨに含まれるＦＣビットは、'１０'Ｆｉｒｓｔフラグメントにセットされる。そして、ＭＳが保持する１０１６バイトの分割ＳＤＵには、ＦＣビット＝'０１'Ｌａｓｔフラグメントを含むＦＳＨが付加される。
【０１０４】
ＳＤＵがパッキングされたＰＤＵを受信したＢＳは、ＰＳＨからパッキングされていることを認識し、更に、ＰＳＨに含まれるＦＣビットからＳＤＵが分割されていることを認識する。そこで、パッキングされているＳＤＵ数をＮとして、Ｎ  ×  ＰＳＨ  −（Ｎ−１）×（ヘッダ  ＋  トレイラ）分を帯域要求量に加算する。受信したＰＤＵに含まれる先頭分割ＳＤＵ（Ｆｉｒｓｔフラグメント）には、ＦＳＨの代わりにＰＳＨが付加されているので、ＭＳが保持している最後尾分割ＳＤＵに新たに付加されたＦＳＨ  ＋  ヘッダ  ＋トレイラ分を更に帯域要求量に加算する。
【０１０５】
同図の例に当てはめると、｛２  ×  ３バイト  −（２−１）×（６バイト＋４バイト）｝＋｛２バイト  ＋  ６バイト  ＋  ４バイト｝＝  ８バイトを帯域要求量に加算し、１０２８バイトとする。
【０１０６】
次に、ＢＳが１０２８バイト分の無線帯域をＭＳに割当てると、帯域要求量は０になる（ＳＱ２４）。そして、ＭＳから同無線帯域を用いて送信されたＰＤＵを受信すると（ＳＱ２５）、同ＰＤＵが最後尾分割ＳＤＵを含むことを検知し、帯域要求量の更新は行わない。したがって、無線基地局は、無線端末に要求された２０２０バイトと比べて、８バイト増加させた無線帯域を無線端末に割当てており、無線端末に割当てた総無線帯域が、ＦＳＨ及びＰＳＨに応じて、結果的に、増加方向に更新されたといえる。
【０１０７】
<ＢＳにおけるパッキングとフラグメントが混在するＰＤＵの帯域割当て時の帯域要求量更新処理>
図２４に、ＢＳにおけるパッキングとフラグメントが混在するＰＤＵの帯域割当て時の帯域要求量更新のフローチャートを示す。同図中、ＢＳはＰＤＵを受信すると（ステップＳ４１）、ＰＳＨの有無によりパッキングされたＳＤＵが含まれるかを確認する（ステップＳ４２）。
【０１０８】
パッキングされたＳＤＵが含まれない場合（ステップＳ４３）、ＦＳＨの有無によりフラグメントの有無を確認する（ステップＳ４４）。そして、フラグメントもなければ帯域要求量の更新は行わずにステップＳ４１に戻る。フラグメントがあった場合、図２０のステップＳ３５〜Ｓ３８と同様に、分割ＳＤＵの位置（先頭、中間、最後尾）に応じて、帯域要求量の更新を行う（ステップＳ４５〜Ｓ４８）。
【０１０９】
一方、パッキングされたＳＤＵを含む場合、ＰＳＨの増加分及びヘッダとトレイラの削減分を考慮して、帯域要求量の更新を行う（ステップＳ４９）。すなわち、ＰＤＵに含まれるＳＤＵ数をＮとすると、Ｎ  ×  ＰＳＨ  −（Ｎ−１）×（ヘッダ  ＋トレイラ）分を帯域要求量（割当て予定無線帯域）に加算する。
【０１１０】
更に、フラグメントされた分割ＳＤＵが含まれている場合（ステップＳ５０）、分割ＳＤＵの位置（先頭、中間、最後尾）に応じて、帯域要求量の更新を行う。すなわち、先頭分割ＳＤＵ（ＦＣビット＝'１０'）の場合、ＭＳが保持する最後尾分割ＳＤＵに新たに付加されたＦＳＨ、ヘッダ及びトレイラ分を加算する（ステップＳ５１，Ｓ５３）。最後尾分割ＳＤＵ（ＦＣビット＝'０１'）の場合、パッキングによりＦＳＨがＰＳＨに付け変わったことになるため、パッキングにより加算されているＰＳＨ分を補正するために、ＦＳＨ分を減算する（ステップＳ５２，Ｓ５４）。なお、パッキングがある場合、中間分割ＳＤＵがＰＤＵに含まれることはなく、ステップＳ４１に戻る。
【０１１１】
<第２実施形態>
再送制御であるＡＲＱ（Ａｕｔｏｍａｔｉｃ  Ｒｅｐｅａｔ  Ｒｅｑｕｅｓｔ）が有効なコネクションでは、どのＰＤＵを受信したかを送信者に通知する受信応答ＡＣＫ（受信結果メッセージ）を返すために、ＰＤＵにシーケンス番号を付ける必要がある。
【０１１２】
このシーケンス番号は、ＦＳＨ及びＰＳＨにも含まれている。つまり、フラグメントもパッキングもされていないＳＤＵを含むＰＤＵにもＦＳＨ（ＦＣビット＝'００'：Ｎｏフラグメント）が付加される。したがって、ＭＳは、ヘッダ、ＦＳＨ、ＳＤＵ、トレイラを含むＰＤＵのサイズの合計を送信するための無線帯域をＢＳに要求する。
【０１１３】
<第２実施形態におけるフラグメント時の帯域割当／割当シーケンス>
図２５に、第２実施形態におけるフラグメント時の帯域割当／割当シーケンスの例を示す。同図では、ＭＳが１５００バイトのＳＤＵを送信するために、ヘッダ及びトレイラ（例えばＣＲＣ）に加え、Ｂｌｏｃｋ  Ｓｅｑｕｅｎｃｅ  Ｎｕｍｂｅｒ（ＢＳＮ）を通知するためのＦＳＨ（ＦＣビット＝'００'Ｎｏフラグメント）を合わせて１５１２バイトの帯域要求をＢＳに送信する例を示している。
【０１１４】
ＭＳは、１５１２バイトのＰＤＵを送信するための無線帯域の割当を要求する（ステップＳＱ３１）。ＢＳは、利用可能な無線リソースを勘案して、ここでは、５００バイト分の無線帯域を割当てるものとする（ステップＳＱ３２）。このとき、残り１０１２バイトの帯域要求量となる。
【０１１５】
最初に、ＢＳから５００バイト分の帯域を割当てられたとき、ＭＳは、１５００バイトのＳＤＵを、４８８バイトの先頭分割ＳＤＵと１０１２バイトの最後尾分割ＳＤＵに分割し、先頭分割ＳＤＵにヘッダ（Ｈ）、トレイラ（ＣＲＣ）及びフラグメントサブヘッダ（ＦＳＨ）を付加して、５００バイトのＰＤＵを再生成し、ＢＳに送信する（ステップＳＱ３３）。同様に、１０１２バイトの分割ＳＤＵにもヘッダ、トレイラ、フラグメントサブヘッダを付加して、ＰＤＵを構成する。なお、先頭分割ＳＤＵに付加したＦＳＨのＦＣビットは'１０'Ｆｉｒｓｔフラグメントであり、最後尾分割ＳＤＵに付加したＦＳＨのＦＣビットは'０１'Ｌａｓｔフラグメントである。
【０１１６】
ＭＳから５００バイトのＰＤＵを受信したＢＳは、ＦＳＨからＰＤＵにフラグメントされた先頭分割ＳＤＵが含まれていることを検知し（ＦＣビット＝'１０'Ｆｉｒｓｔフラグメント）、同ＰＤＵのＣＩＤに対応する帯域要求量に、ＭＳが保持しているＳＤＵに新たに付加されたヘッダ、トレイラ及びＦＳＨ相当量の計１２バイトを加算して、１０２４バイトとなる。
【０１１７】
次に、ＢＳは、１０２４バイトの帯域要求量のうち、５００バイト分の無線帯域をＭＳに割当てるものとする（ＳＱ３４）。このとき、ＢＳは、５２４バイトの残り帯域要求量があるものと認識する。
【０１１８】
５００バイト分の無線帯域を割当てられたＭＳは、１０１２バイトのＳＤＵを更に分割し、４８８バイトの中間分割ＳＤＵと５２４バイトの最後尾分割ＳＤＵに分割する。そして中間分割ＳＤＵに、ヘッダ、トレイラ、ＦＳＨ（ＦＣビット＝'１１'Ｍｉｄｄｌｅフラグメント）を付加し、最後尾分割ＳＤＵにもヘッダ、トレイラ、ＦＳＨ（ＦＣビット＝'０１'Ｌａｓｔフラグメント）を付加して、それぞれＰＤＵを構成する。そして、中間分割ＳＤＵを含むＰＤＵをＢＳに送信する（ＳＱ３５）。
【０１１９】
ＭＳから５００バイトのＰＤＵを受信したＢＳは、ＦＳＨからＰＤＵにフラグメントされた中間分割ＳＤＵが含まれていることを検知し（ＦＣビット＝'１１'Ｍｉｄｄｌｅフラグメント）、同ＰＤＵのＣＩＤに対応する帯域要求量に、ＭＳが保持しているＳＤＵに新たに付加されたヘッダ、トレイラ及びＦＳＨ相当量の計１２バイトを加算して、５３６バイトとなる。
【０１２０】
ステップＳＱ３６で５００バイト分の無線帯域を割当てられたＭＳは、５２４バイトのＳＤＵを更に分割し、４８８バイトの中間分割ＳＤＵと３６バイトの最後尾分割ＳＤＵに分割する。そして中間分割ＳＤＵに、ヘッダ、トレイラ、ＦＳＨ（ＦＣビット＝'１１'Ｍｉｄｄｌｅフラグメント）を付加し、最後尾分割ＳＤＵにもヘッダ、トレイラ、ＦＳＨ（ＦＣビット＝'０１'Ｌａｓｔフラグメント）を付加して、それぞれＰＤＵを構成する。そして、中間分割ＳＤＵを含むＰＤＵをＢＳに送信する（ＳＱ３７）。
【０１２１】
ステップＳＱ３８でＭＳから５００バイトのＰＤＵを受信したＢＳは、ＦＳＨからＰＤＵにフラグメントされた中間分割ＳＤＵが含まれていることを検知し（ＦＣビット＝'１１'Ｍｉｄｄｌｅフラグメント）、同ＰＤＵのＣＩＤに対応する帯域要求量に、ＭＳが保持しているＳＤＵに新たに付加されたヘッダ、トレイラ及びＦＳＨ相当量の計１２バイトを加算して、４８バイトとなる。
【０１２２】
更に、ＢＳは、残っている４８バイトの帯域要求量を満たす無線帯域をＭＳに割当てるものとする。このとき、ＢＳは、残り帯域要求量が０であるものと認識する。
【０１２３】
４８バイト分の無線帯域を割当てられたＭＳは、３６バイトのＳＤＵを含むＰＤＵをＢＳに送信する（ＳＱ３９）。
【０１２４】
<第２実施形態におけるパッキング時の帯域割当／割当シーケンス>
図２６に、第２実施形態におけるパッキング時の帯域割当／割当シーケンスの例を示す。同図では、ＭＳが３つの５００バイトのＳＤＵを送信するために、ヘッダ及びトレイラ（例えばＣＲＣ）に加え、Ｂｌｏｃｋ  Ｓｅｑｕｅｎｃｅ  Ｎｕｍｂｅｒ（ＢＳＮ）を通知するためのＦＳＨ（ＦＣビット＝'００'Ｎｏフラグメント）を合わせて１５３６バイトの帯域要求をＢＳに送信する例を示している。
【０１２５】
ＭＳは、合計１５３６バイトのＰＤＵを送信するための無線帯域の割当を要求する（ステップＳＱ４０）。ＢＳは、利用可能な無線リソースを勘案して、ここでは、１０１６バイト分の無線帯域を割当てるものとする（ＳＱ４１）。このとき、残り５２０バイトの帯域要求量となる。
【０１２６】
最初に、ＢＳから１０１６バイト分の帯域を割当てられたとき、ＭＳは、各ＰＤＵ内のＳＤＵに付加されているＦＳＨに変えて、ＰＳＨ（パッキングサブヘッダ）を用いて２個の５００バイトのＳＤＵを結合し、ヘッダ（Ｈ）、トレイラ（ＣＲＣ）を付加して、１０１６バイトのＰＤＵを生成し、ＢＳに送信する（ＳＱ４２）。
【０１２７】
ＭＳから１０１６バイトのＰＤＵを受信したＢＳは、ＰＳＨからＰＤＵにパッキングされた複数のＳＤＵが含まれていることを検知し、同ＰＤＵのＣＩＤに対応する帯域要求量に、パッキング前のＰＤＵ内のＳＤＵに付加されていたＦＳＨと受信したＰＤＵに含まれるＳＤＵに付加されたＰＳＨの差分の合計量から、パッキングされたＳＤＵに元々付加されていたヘッダ及びトレイラ相当量を減算した値を帯域要求量に加えて、５１２バイトとなる。
【０１２８】
ＢＳは残り５１２バイト分の無線帯域をＭＳに割当て（ＳＱ４３）、残りの帯域要求量を０とする。そして、ＭＳは割当てられた無線帯域を利用して残りのＰＤＵを送信する（ＳＱ４４）。この場合、パッキングもフラグメントもなされていないので、ＢＳは、帯域要求量の更新は行わない。
【０１２９】
<第２実施形態におけるＰＤＵ受信時の帯域要求量更新>
図２７に、第２実施形態のＢＳにおけるＰＤＵ受信時の帯域要求量更新のフローチャートを示す。
【０１３０】
ＢＳがＭＳからＰＤＵを受信すると（ステップＳ６１）、同ＰＤＵに含まれるＳＤＵがフラグメントされているか否か、あるいは、同ＰＤＵに複数のＳＤＵがパッキングされているか否かを検査する（ステップＳ６２〜Ｓ６４）。フラグメントもパッキングもない場合、帯域要求量の更新は行わずにステップＳ６１に戻る（ステップＳ６４）。
【０１３１】
一方、フラグメントされた分割ＳＤＵが含まれる場合、ＦＳＨのＦＣビット値により、帯域要求量の更新方法が異なる。
（１）ＦＣビット＝'１０'ＦｉｒｓｔフラグメントあるいはＦＣビット＝'１１'Ｍｉｄｄｌｅフラグメントの場合
この場合、ＭＳが送信待ちの最後尾分割ＳＤＵに付加されたヘッダ、トレイラ及びＦＳＨ分が新たに生じたデータ量となる。したがって、ＦＳＨ  ＋  ヘッダ  ＋トレイラ分を帯域要求量に加算する（ステップＳ６６）。
（２）ＦＣビット＝'０１'Ｌａｓｔフラグメントの場合
この場合、新たに生じたデータはないため、帯域要求量の更新は行わずにステップＳ６１に戻る（ステップＳ６５）。
【０１３２】
受信したＰＤＵにパッキングされた複数のＳＤＵが含まれる場合、ＦＳＨの代わりに受信したＰＤＵに含まれる各ＳＤＵに付加されたＰＳＨ（パッキングサブヘッダ）分が新たに生じたデータとなり、パッキングされたＳＤＵに元々付加されていたヘッダ及びトレイラ分が減少分となる（ステップＳ６７）。すなわち、ＰＤＵに含まれるＳＤＵ数をＮとすると、Ｎ  ×（ＰＳＨ  −  ＦＳＨ）−（Ｎ−１）×（ヘッダ  ＋トレイラ）分を帯域要求量に加算する。通常、Ｎ  ×（ＰＳＨ  −  ＦＳＨ）  <  （Ｎ−１）×（ヘッダ  ＋トレイラ）の関係が成り立つので、帯域要求量は減少することになる。
【０１３３】
<第２実施形態におけるパッキング及びフラグメント時の帯域割当／割当シーケンス>
図２８に、第２実施形態におけるパッキング及びフラグメント時の帯域割当／割当シーケンスの例を示す。同図では、ＭＳが５００バイトと１５００バイトのＳＤＵを送信するために、ヘッダ及びトレイラ（例えばＣＲＣ）に加え、Ｂｌｏｃｋ  Ｓｅｑｕｅｎｃｅ  Ｎｕｍｂｅｒ（ＢＳＮ）を通知するためのＦＳＨ（ＦＣビット＝'００'Ｎｏフラグメント）を合わせて２０２４バイトの帯域要求をＢＳに送信する例を示している。
【０１３４】
ＭＳは、合計２０２４バイト分のＰＤＵを送信するための無線帯域の割当てを要求する（ＳＱ５１）。ＢＳは、利用可能な無線リソースを勘案して、ここでは、１０００バイト分の無線帯域を割当てるものとする（ＳＱ５２）。このとき、残り１０２４バイトの帯域要求量となる。
【０１３５】
最初に、ＢＳから１０００バイト分の無線帯域を割当てられたとき、ＭＳは、ＦＳＨの代わりに、ＰＳＨ（パッキングサブヘッダ）を用いて、５００バイトのＳＤＵと１５００バイトのＳＤＵの先頭４８４バイト分の分割ＳＤＵを結合し、ヘッダ（Ｈ）、トレイラ（ＣＲＣ）を付加して、１０００バイトのＰＤＵを生成し、ＢＳに送信する（ＳＱ５３）。４８４バイトの分割ＳＤＵに付加されるＰＳＨに含まれるＦＣビットは、'１０'Ｆｉｒｓｔフラグメントにセットされる。そして、ＭＳが保持する１０１６バイトの分割ＳＤＵには、ＦＣビット＝'０１'Ｌａｓｔフラグメントを含むＦＳＨが付加される。
【０１３６】
ＳＤＵがパッキングされたＰＤＵを受信したＢＳは、ＰＳＨからパッキングされていることを認識し、更に、ＰＳＨに含まれるＦＣビットからＳＤＵが分割されていることを認識する。そこで、パッキングされているＳＤＵ数をＮとして、Ｎ  ×（ＰＳＨ  −  ＦＳＨ）−（Ｎ−１）×（ヘッダ  ＋トレイラ）分を帯域要求量に加算する。受信したＰＤＵに含まれる先頭分割ＳＤＵ（Ｆｉｒｓｔフラグメント）には、ＦＳＨの代わりにＰＳＨが付加されているので、ＭＳが保持している最後尾分割ＳＤＵに新たに付加されたＦＳＨ＋ヘッダ＋トレイラ分を更に帯域要求量に加算する。
【０１３７】
同図の例に当てはめると、｛２×（３バイト−２バイト）−（２−１）×（６バイト＋４バイト）｝＋｛２バイト＋６バイト＋４バイト｝  ＝  ４バイトを帯域要求量に加算し、１０２８バイトとする。
【０１３８】
次に、ＢＳが１０２８バイト分の無線帯域をＭＳに割当てると（ＳＱ５４）、帯域要求量は０になる。そして、ＭＳから同無線帯域を用いて送信されたＰＤＵを受信すると（ＳＱ５５）、同ＰＤＵが最後尾分割ＳＤＵを含むことを検知し、帯域要求量の更新は行わない。
【０１３９】
<第２実施形態におけるパッキングとフラグメントが混在するＰＤＵ受信時の帯域要求量更新処理>
図２９に、第２実施形態のＢＳにおけるパッキングとフラグメントが混在するＰＤＵ受信時の帯域要求量更新のフローチャートを示す。
【０１４０】
ＢＳはＰＤＵを受信すると（ステップＳ７１）、ＰＳＨの有無によりパッキングされたＳＤＵが含まれるかを確認する（ステップＳ７２〜Ｓ７３）。パッキングされたＳＤＵが含まれない場合、ＦＳＨの有無によりフラグメントの有無を確認する（ステップＳ７４）。そして、フラグメントもなければ帯域要求量の更新は行わずにステップＳ７１に戻る。
【０１４１】
一方、フラグメントされた分割ＳＤＵが含まれる場合、ＦＳＨのＦＣビット値により、帯域要求量の更新方法が異なる。
（１）ＦＣビット＝'１０'ＦｉｒｓｔフラグメントあるいはＦＣビット＝'１１'Ｍｉｄｄｌｅフラグメントの場合
この場合、ＭＳが送信待ちの最後尾分割ＳＤＵに付加されたヘッダ、トレイラ及びＦＳＨ分が新たに生じたデータ量となる。したがって、ＦＳＨ  ＋  ヘッダ  ＋トレイラ分を帯域要求量に加算する（ステップＳ７６）。
（２）ＦＣビット＝'０１'Ｌａｓｔフラグメントの場合
この場合、新たに生じたデータはないため、帯域要求量の更新は行わずにステップＳ６１に戻る（ステップＳ７５）。
【０１４２】
パッキングされたＳＤＵを含む場合、ＦＳＨからＰＳＨの代わった増加分及びヘッダとトレイラの削減分を考慮して、帯域要求量の更新を行う。すなわち、ＰＤＵに含まれるＳＤＵ数をＮとすると、Ｎ  ×（ＰＳＨ  −  ＦＳＨ）−（Ｎ−１）×（ヘッダ  ＋トレイラ）分を帯域要求量に加算する（ステップＳ７７）。
【０１４３】
更に、フラグメントされた分割ＳＤＵが含まれている場合、分割ＳＤＵの位置が先頭であれば帯域要求量の更新を行う（ステップＳ８０）。すなわち、ＭＳが保持する最後尾分割ＳＤＵに新たに付加されたＦＳＨ、ヘッダ及びトレイラ分を加算する。
【０１４４】
分割ＳＤＵの位置が中間、最後尾であれば、新たに生じたデータはないため、帯域要求量の更新は行わずにステップＳ６１に戻る（ステップＳ７８，Ｓ７９）。
【０１４５】
<第３実施形態>
ＭＳはＡＲＱの応答確認のためのＡＲＱ＿ＡＣＫを返すため、ピギーバックリクエストやＢＲヘッダなどの制御情報をＢＳに通知する必要がある。本実施形態では、ＡＲＱ＿ＡＣＫを例に、制御情報が送られてきたときの帯域要求量の更新方法を示す。
【０１４６】
<第３実施形態におけるフラグメント時の帯域割当／割当シーケンス>
図３０に、第３実施形態におけるフラグメント時の帯域割当／割当シーケンスの例を示す。同図では、ＭＳが１５００バイトのＳＤＵを送信するために、ヘッダ及びトレイラ（例えばＣＲＣ）に加え、Ｂｌｏｃｋ  Ｓｅｑｕｅｎｃｅ  Ｎｕｍｂｅｒ（ＢＳＮ）を通知するためのＦＳＨ（ＦＣビット＝'００'Ｎｏフラグメント）を合わせて１５１２バイトの帯域要求をＢＳに送信する例を示している。
【０１４７】
ＭＳは、１５１２バイトのＰＤＵを送信するための無線帯域の割当を要求する（ステップＳＱ６１）。
【０１４８】
ＭＳがＢＳからＡＲＱが有効なＰＤＵを受信し（ＳＱ６２）、受信応答ＡＣＫを送信可能なときに、ＢＳから５００バイト分の無線帯域の割当てを受けたとする（ＳＱ６３）。このとき、ＢＳでは、残り１０１２バイトの帯域要求量となる。
【０１４９】
最初に、ＢＳから５００バイト分の帯域を割当てられたとき、ＭＳは、１５００バイトのＳＤＵを、４８４バイトの先頭分割ＳＤＵと１０１６バイトの最後尾分割ＳＤＵに分割し、先頭分割ＳＤＵにヘッダ（Ｈ）、トレイラ（ＣＲＣ）、フラグメントサブヘッダ（ＦＳＨ）及びＡＲＱ  Ｆｅｅｄｂａｃｋサブヘッダ（ＡＳＨ）を付加して、５００バイトのＰＤＵを再生成し、ＢＳに送信する（ＳＱ６４）。
【０１５０】
このとき、ＡＳＨには、ＭＳが受信したＰＤＵのＣＩＤやＳｅｑｕｅｎｃｅ  Ｎｕｍｂｅｒなどが格納され、４バイト長とする。同様に、１０１６バイトの分割ＳＤＵにもヘッダ、トレイラ、フラグメントサブヘッダを付加して、ＰＤＵを構成する。なお、先頭分割ＳＤＵに付加したＦＳＨのＦＣビットは'１０'Ｆｉｒｓｔフラグメントであり、最後尾分割ＳＤＵに付加したＦＳＨのＦＣビットは'０１'Ｌａｓｔフラグメントである。
【０１５１】
ＭＳから５００バイトのＰＤＵを受信したＢＳは、まず、ＦＳＨ及びＰＳＨ以外のサブヘッダ（ここではＡＳＨ）が含まれていることを検出し、その分の帯域を、帯域要求量に加算する。そして、ＦＳＨからＰＤＵにフラグメントされた先頭分割ＳＤＵが含まれていることを検知し（ＦＣビット＝'１０'Ｆｉｒｓｔフラグメント）、同ＰＤＵのＣＩＤに対応する帯域要求量に、ＭＳが保持しているＳＤＵに新たに付加されたヘッダ、トレイラ及びＦＳＨ相当量の計１２バイトを加算して、１０２４バイトとなる。
【０１５２】
次に、ＢＳが１０２８バイト分の無線帯域をＭＳに割当てると（ＳＱ６５）、帯域要求量は０になる。そして、ＭＳから同無線帯域を用いて送信されたＰＤＵを受信すると（ＳＱ６６）、同ＰＤＵが最後尾分割ＳＤＵを含むことを検知し、帯域要求量の更新は行わない。
【０１５３】
<ＦＳＨ、ＰＳＨ以外のサブヘッダが含まれるＰＤＵ受信時の帯域要求量更新処理>
図３１に、ＦＳＨ、ＰＳＨ以外のサブヘッダが含まれるときのＢＳにおける帯域割当て時の帯域要求量更新のフローチャートを示す。同図中、図２９と同一部分には同一符号を付し、その説明を省略する。
【０１５４】
ＢＳはＰＤＵを受信すると（ステップＳ８１）、ＦＳＨ／ＰＳＨ以外のサブヘッダの有無を確認する（ステップＳ８２，Ｓ８３）。ＦＳＨ／ＰＳＨ以外のサブヘッダ（ＡＲＱ  Ｆｅｅｄｂａｃｋサブヘッダ等）が含まれる場合、そのサブヘッダサイズ分を帯域要求量に加算する（ステップＳ８４）。以降、パッキングやフラグメントの有無により、第１及び第２の実施の形態で示したように、帯域要求量を更新する。
【０１５５】
なお、図３１は、図２９にＦＳＨ／ＰＳＨ以外のサブヘッダの有無を確認するステップＳ８２，Ｓ８３、ＦＳＨ／ＰＳＨ以外のサブヘッダ（ＡＲＱ  Ｆｅｅｄｂａｃｋサブヘッダ等）が含まれる場合、そのサブヘッダサイズ分を帯域要求量に加算するステップＳ８４を追加したものである。同様に、これら２つのステップを他のフローチャートに追加することができる。
【０１５６】
<ＡＲＱ  Ｆｅｅｄｂａｃｋ  ｓｕｂｈｅａｄｅｒの追加説明>
ＡＲＱは、無線区間におけるパケットエラーの有無を送信側に通知し（ＡＣＫ：Ａｃｋｎｏｗｌｅｄｇｅｍｅｎｔ）、エラーが有る場合は再送信を行うＭＡＣ層レベルの機能である。ＡＲＱ  Ｆｅｅｄｂａｃｋサブヘッダは、ＡＣＫを送信するときに用いる。なお、ＡＲＱ  Ａｃｋを送信側に通知する手段として、ＭＡＣ  Ｍａｎａｇｅｍｅｎｔ  ｍｅｓｓａｇｅのＡＲＱ  Ｆｅｅｄｂａｃｋ  Ｍｅｓｓａｇｅを用いることもできる。
【０１５７】
図３２（Ａ）に、ＡＲＱ  Ｆｅｅｄｂａｃｋサブヘッダ（ＡＳＨ）のフォーマットを示す。同図に示すように、ＡＲＱ  Ｆｅｅｄｂａｃｋサブヘッダは、複数のＡＲＱ＿Ｆｅｅｄｂａｃｋ−ＩＥから構成される。各ＡＲＱ＿Ｆｅｅｄｂａｃｋ−ＩＥは、ＣＩＤ毎のＡＲＱ＿ＡＣＫを表す。図３２（Ｂ）に、ＡＲＱ＿Ｆｅｅｄｂａｃｋ−ＩＥフォーマットを示す。また、図３２（Ｃ）に、ＡＲＱ＿Ｆｅｅｄｂａｃｋ−ＩＥのフィールドの説明を示す。
【０１５８】
図３２（Ｃ）に示すように、ＡＲＱ＿ＡＣＫタイプは、４種類が規定されており、それぞれの意味及び対応するフィールドについては後述する。ＢＳＮ（Ｂｌｏｃｋ  Ｓｅｑｕｅｎｃｅ  Ｎｕｍｂｅｒ）は、ＡＲＱ−ｅｎａｂｌｅであるコネクションのＦＳＨやＰＳＨに含まれるものと同じであり、ＭＡＣ−ＳＤＵを仮想的にＡＲＱ＿Ｂｌｏｃｋに分割したときのＡＲＱ＿Ｂｌｏｃｋのシーケンス番号を表している。
【０１５９】
図３３に、ＡＲＱ＿Ｂｌｏｃｋの概念図を示す。同図に示すように、コネクション設定時にシグナリングされるＡＲＱ＿Ｂｌｏｃｋ＿ＳｉｚｅでＭＡＣ−ＳＤＵを分割し、ＳＤＵの先頭ＡＲＱ＿ＢｌｏｃｋのＢＳＮをフラグメント／パッキングサブヘッダに含ませる。なお、フラグメンテーションを行うときは、このＡＲＱ＿Ｂｌｏｃｋ＿Ｓｉｚｅ単位で行う必要がある。ＡＲＱ＿ＡＣＫに含まれるＢＳＮは、基本的に正常に受信できたＢＳＮ番号を示す。なお、ＭＡＣ−ＰＤＵの正常な受信を確認するために、ＣＲＣによるエラー検出を行う。そのため、ＡＲＱを行う場合、ＣＲＣは必須機能となる。
【０１６０】
図３４に、ＡＲＱ  Ｔｙｐｅ  Ｓｐｅｃｉｆｉｃ  Ｆｉｅｌｄのうち、Ｓｅｌｅｃｔｉｖｅ  Ａｃｋ（Ａｃｋ  Ｔｙｐｅ＝'００'）及びＣｕｍｕｌａｔｉｖｅ  ｗｉｔｈ  Ｓｅｌｅｃｔｉｖｅ  Ａｃｋ（Ａｃｋ  Ｔｙｐｅ＝'１０'）に適用されるＳｅｌｅｃｔｉｖｅ  Ａｃｋ  ＭＡＰのフォーマットを示す。
【０１６１】
Ｓｅｌｅｃｔｉｖｅ  Ａｃｋ  ＭＡＰは、各ＡＲＱ＿Ｂｌｏｃｋの受信成否をビットマップで表し、ＭＳＢがＡＲＱ＿Ｂｌｏｃｋの最小のＢＳＮに相当する。"Ｓｅｌｅｃｔｉｖｅ  Ａｃｋ"の場合、ＢＳＮはＳｅｌｅｃｔｉｖｅ  Ａｃｋ  ＭＡＰのＭＳＢを表す。"Ｃｕｍｕｌａｔｉｖｅ  ｗｉｔｈ  Ｓｅｌｅｃｔｉｖｅ  Ａｃｋ"の場合、ＢＳＮが受信成功のＡＲＱ＿Ｂｌｏｃｋの最大ＢＳＮを表し、同時にＳｅｌｅｃｔｉｖｅ  Ａｃｋ  ＭＡＰのＭＳＢを表している。したがって、Ｃｕｍｕｌａｔｉｖｅ  ｗｉｔｈ  Ｓｅｌｅｃｔｉｖｅ  Ａｃｋでは、ＭＳＢは常に'１'にセットされる。
【０１６２】
図３５を用いてＳｅｌｅｃｔｉｖｅ  Ａｃｋを説明する。同図に示すように、２番目のＭＡＣ−ＰＤＵ＃２が受信できなかった場合、Ｓｅｌｅｃｔｉｖｅ  Ａｃｋでは、Ａｃｋ  Ｔｙｐｅ＝'００'となり、ＢＳＮ＝５、Ｓｅｌｅｃｔｉｖｅ  Ａｃｋ  ＭＡＰ＝"１１１００１１１  ００００００００"により、ＢＳＮ＝５，６，７のブロックは正常受信され、その後のＢＳＮ＝８，９のブロック（ＭＡＣ−ＰＤＵ＃２）が受信できず、ＢＳＮ＝１０，１１，１２のブロックは正常受信されたことを表す。
【０１６３】
一方、Ｃｕｍｕｌａｔｉｖｅ  ｗｉｔｈ  Ｓｅｌｅｃｔｉｖｅ  Ａｃｋでは、Ａｃｋ  Ｔｙｐｅ＝'１０'となり、ＢＳＮ＝７、Ｓｅｌｅｃｔｉｖｅ  Ａｃｋ  ＭＡＰ＝"１００１１１００  ００００００００"により、ＢＳＮ＝７のブロックは正常受信され、その後のＢＳＮ＝８，９のブロック（ＭＡＣ−ＰＤＵ＃２）が受信できず、ＢＳＮ＝１０，１１，１２のブロックは正常受信されたことを表す。
【０１６４】
図３６（Ａ），（Ｂ）に、ＡＲＱ  Ｔｙｐｅ  Ｓｐｅｃｉｆｉｃ  Ｆｉｅｌｄのうち、Ｃｕｍｕｌａｔｉｖｅ  Ａｃｋ  ｗｉｔｈ  Ｂｌｏｃｋ  Ｓｅｑｕｅｎｃｅ  Ａｃｋ（Ａｃｋ  Ｔｙｐｅ＝'１１'）に適用されるＢｌｏｃｋ  Ｓｅｑｕｅｎｃｅのフォーマットを示す。また、図３６（Ｃ）に、Ｂｌｏｃｋ  Ｓｅｑｕｅｎｃｅ  Ｆｉｅｌｄの説明を示す。
【０１６５】
"Ｃｕｍｕｌａｔｉｖｅ  ｗｉｔｈ  Ｂｌｏｃｋ  Ｓｅｑｕｅｎｃｅ  Ａｃｋ"は、Ｃｕｍｕｌａｔｉｖｅ  ｗｉｔｈ  Ｓｅｌｅｃｔｉｖｅ  Ａｃｋと類似したＡＣＫであるが、Ｓｅｌｅｃｔｉｖｅ  ＡｃｋがＡＲＱ＿Ｂｌｏｃｋ個々の受信成否をビットマップで表していたのに対し、Ｂｌｏｃｋ  Ｓｅｑｕｅｎｃｅでは、連続する受信成功あるいは不成功ＡＲＱ＿Ｂｌｏｃｋを一塊（Ｓｅｑｕｅｎｃｅ  ｎ  Ｌｅｎｇｔｈ）として、その一塊の受信成否を表すビット（Ｓ．Ａ  ＭＡＰ）を付加して受信確認をするものである。
【０１６６】
図３７を用いてＢｌｏｃｋ  Ｓｅｑｕｅｎｃｅ  ＡＣＫを説明する。同図に示すように、２番目のＭＡＣ−ＰＤＵ＃２が受信できなかった場合、Ａｃｋ  Ｔｙｐｅ＝'１１'となり、ＢＳＮ＝８、Ｓ．Ｆ＝２（ブロック８から始まる２ＰＤＵ分）、Ｓ．Ａ  ＭＡＰ＝０１（１番目のＰＤＵが受信できず、２番目のＰＤＵが受信できた）、Ｓｅｑｕｅｎｃｅ１Ｌｅｎｇｔｈ＝２（１番目のＰＤＵは２ブロック）、Ｓｅｑｕｅｎｃｅ１Ｌｅｎｇｔｈ＝３（２番目のＰＤＵは３ブロック）となる。
【０１６７】
このように、上記実施形態では、ＭＳがＰＤＵあたり１個のＳＤＵをカプセル化したときのデータ量を送信するための無線帯域をＢＳに要求し、ＢＳは、ＰＤＵに複数のＳＤＵが結合されていたり、分割されたＳＤＵが含まれていた場合に、パッキング又はフラグメントによって生じるオーバーヘッドの減少又は増加を自立的に計算し、要求された無線帯域量を更新するため、パッキングやフラグメントにより生じた要求帯域の変動について、ＭＳが無駄な帯域要求を行う必要がなくなる。これによって、無駄な帯域要求を行う分の無線リソースを有効に利用することができ、また、帯域要求にかかる遅延をなくすことができる。
（付記１）
無線端末からの要求帯域に基いて、該無線端末に無線帯域を割当てる無線基地局において、
該無線基地局により割当てられた無線帯域を用いて、１又は複数のユーザパケットについて分割又は結合処理を施して得られたデータを送信する該無線端末から該データを受信する受信部と、
受信した該データに含まれる分割又は結合に関する情報に基いて、該無線端末に割当てる無線帯域の総量を増加又は減少する更新部と、
を備えたことを特徴とする無線基地局。
（付記２）
前記更新部は、受信した前記データに含まれるヘッダに基いて前記無線帯域の総量の増加又は減少を行う、
ことを特徴とする付記１記載の無線基地局。
（付記３）
前記更新部は、受信した前記データに含まれるヘッダが分割に関する場合は、前記無線帯域の総量を増加させ、受信した前記データに含まれるヘッダが結合に関する場合は、前記無線帯域の総量を減少させる、
ことを特徴とする付記１記載の無線基地局。
（付記４）
前記要求帯域に基いて前記無線端末について割当て予定無線帯域を管理する管理部を備え、
該無線端末に対して無線帯域の割り当てを行うと、該管理部は、該割当て予定無線帯域を減少させ、
前記更新部は、該割当て予定の更新を行うことで、前記無線帯域の総量の更新を行う、
ことを特徴とする付記１記載の無線基地局。
（付記５）
無線端末からの要求帯域に基いて、該無線端末に無線帯域を割当てる無線基地局において、
該無線基地局により割当てられた無線帯域を用いて、データに応答メッセージを含めて送信し得る該無線端末から該データを受信する受信部と、
受信した該データに、前記応答メッセージが含まれる場合に、該無線端末に割当てる無線帯域の総量を増加する更新部と、
を備えたことを特徴とする無線基地局。
（付記６）
前記応答メッセージは、前記無線基地局における再送制御において用いられる受信結果を示すメッセージである、
ことを特徴とする付記５記載の無線基地局。
（付記７）
無線端末から要求帯域情報を送信し、無線基地局が該要求帯域情報に応じて該無線端末に対して無線帯域を割当てる無線帯域割当て方法において、
該無線基地局により割当てられた無線帯域を用いて、該無線端末からデータを送信し、
該無線基地局は、該データを受信し、
該無線基地局は、受信した該データに含まれる分割又は結合に関する情報又は該無線端末からの応答メッセージに応じて、該無線端末に割当てる無線帯域の総量を増加又は減少する、
ことを特徴とする無線帯域割当て方法。
（付記８）
ユーザパケットを無線パケットにカプセル化して無線基地局と無線端末との間で通信する無線通信システムの無線帯域割当て方法であって、
前記無線端末は、一又は複数の前記無線パケットのデータ量を送信するための無線帯域を要求する帯域要求情報を生成して前記無線基地局に送信し、
前記無線基地局は、受信した前記帯域要求情報を基に帯域要求量を更新し、前記帯域要求量に基づいて前記無線端末に対する無線帯域の割当てを行う無線帯域割当て方法において、
前記無線端末は、前記無線基地局から割当てられた無線帯域に応じて、複数のユーザパケットを結合して一の無線パケットにカプセル化、又は、一のユーザパケットを分割して複数の無線パケットにカプセル化して前記無線基地局に送信し、
前記無線基地局は、受信した前記無線パケットに結合されたユーザパケット又は分割されたユーザパケットがカプセル化されていることを検知したとき、結合又は分割の状態に応じて、オーバーヘッド相当分を増減して前記帯域要求量の更新を行う
ことを特徴とする無線帯域割当て方法。
（付記９）
付記８記載の無線帯域割当て方法において、
前記無線基地局は、受信した前記無線パケットに結合されたユーザパケットがカプセル化されていることを検知したとき、ユーザパケットの結合により省略されるオーバーヘッド相当分を減算して前記帯域要求量の更新を行う
ことを特徴とする無線帯域割当て方法。
（付記１０）
付記８記載の無線帯域割当て方法において、
前記無線基地局は、受信した前記無線パケットに分割されたユーザパケットがカプセル化されていることを検知したとき、ユーザパケットの分割により新たに生じるオーバーヘッド相当分を加算して前記帯域要求量の更新を行う
ことを特徴とする無線帯域割当て方法。
（付記１１）
付記８記載の無線帯域割当て方法において、
前記無線端末は、一又は複数のユーザパケットそれぞれに必要最低限のヘッダ及びトレイラを付加した一又は複数の無線パケットを基に前記帯域要求情報を生成する
ことを特徴とする無線帯域割当て方法。
（付記１２）
付記８記載の無線帯域割当て方法において、
前記無線端末は、自動再送要求のためのオーバーヘッドを付加した無線パケット送信し、
前記無線基地局は、受信した前記無線パケットに結合されたユーザパケット又は分割されたユーザパケットがカプセル化されていることを検知したとき、結合又は分割の状態に応じ、前記自動再送要求のためのオーバーヘッドを加味して、オーバーヘッド相当分を増減して前記帯域要求量の更新を行う
ことを特徴とする無線帯域割当て方法。
（付記１３）
ユーザパケットを無線パケットにカプセル化して無線基地局と無線端末との間で通信する無線通信システムの無線基地局であって、
前記無線端末から送信される、一又は複数の前記無線パケットのデータ量を送信するための無線帯域を要求する帯域要求情報を受信し、前記帯域要求情報を基に帯域要求量を更新する帯域要求量更新手段と、
更新した前記帯域要求量に基づいて前記無線端末に対する無線帯域の割当てを行う無線帯域割当て手段を有する無線基地局において、
受信した前記無線パケットに結合されたユーザパケット又は分割されたユーザパケットがカプセル化されていることを前記無線パケットに含まれるサブヘッダから検知する検知手段を有し、
前記帯域要求量更新手段は、前記検知手段で検知した結合又は分割の状態に応じて、オーバーヘッド相当分を増減して前記帯域要求量の更新を行う
ことを特徴とする無線基地局。
（付記１４）
付記１３記載の無線基地局において、
前記帯域要求量更新手段は、前記検知手段でユーザパケットの結合を検知したとき、前記複数のユーザパケットを一の無線パケットにカプセル化するときに省略されるオーバーヘッド相当分を減算して前記帯域要求量の更新を行う
ことを特徴とする無線基地局。
（付記１５）
付記１３記載の無線基地局において、
前記帯域要求量更新手段は、前記検知手段でユーザパケットの分割を検知したとき、分割したユーザパケットを複数の無線パケットにカプセル化するときに新たに生じるオーバーヘッド相当分を加算して前記帯域要求量の更新を行う
ことを特徴とする無線基地局。
（付記１６）
付記１４記載の無線基地局において、
前記検知手段でユーザパケットの結合を検知したとき減算する前記オーバーヘッド相当分は、一の無線パケットに含まれるユーザパケット数と結合に用いる結合サブヘッダの情報量の乗算値と、前記ユーザパケット数から１を減算した値と前記無線パケットのヘッダとトレイラの合計情報量の乗算値との差分値である
ことを特徴とする無線基地局。
（付記１７）
付記１５記載の無線基地局において、
前記検知手段でユーザパケットの分割を検知したとき加算する前記オーバーヘッド相当分は、
分割されたユーザパケットの先頭が含まれる無線パケットで、分割を表す分割サブヘッダの情報量の２倍と、前記無線パケットのヘッダとトレイラの合計情報量との加算値であり、
分割されたユーザパケットの最後尾が含まれる無線パケットで、前記分割サブヘッダの情報量と、前記無線パケットのヘッダとトレイラの合計情報量との加算値である
ことを特徴とする無線基地局。
（付記１８）
付記１６記載の無線基地局において、
分割されたユーザパケットの先頭と他のユーザパケットが含まれる無線パケットで、前記分割サブヘッダの情報量と、前記無線パケットのヘッダとトレイラの合計情報量との加算値を前記オーバーヘッド相当分に加算し、
分割されたユーザパケットの最後尾と他のユーザパケットが含まれる無線パケットで、前記分割サブヘッダの情報量を前記オーバーヘッド相当分に減算する
ことを特徴とする無線基地局。
（付記１９）
付記１４記載の無線基地局において、
前記無線端末が自動再送要求のためのオーバーヘッドを付加した無線パケットを送信する場合、
前記検知手段でユーザパケットの結合を検知したとき減算する前記オーバーヘッド相当分は、一の無線パケットに含まれるユーザパケット数と結合に用いる結合サブヘッダの情報量と分割を表す分割サブヘッダの情報量の差との乗算値と、前記ユーザパケット数から１を減算した値と前記無線パケットのヘッダとトレイラの合計情報量の乗算値との差分値である
ことを特徴とする無線基地局。
（付記２０）
付記１５記載の無線基地局において、
前記無線端末が自動再送要求のためのオーバーヘッドを付加した無線パケットを送信する場合、
前記検知手段でユーザパケットの分割を検知したとき加算する前記オーバーヘッド相当分は、
分割されたユーザパケットの最後尾以外が含まれる無線パケットで、前記分割サブヘッダの情報量と、前記無線パケットのヘッダとトレイラの合計情報量との加算値である
ことを特徴とする無線基地局。
（付記２１）
付記１９記載の無線基地局において、
分割されたユーザパケットの先頭と他のユーザパケットが含まれる無線パケットで、前記分割サブヘッダの情報量と、前記無線パケットのヘッダとトレイラの合計情報量との加算値を前記オーバーヘッド相当分に加算する
ことを特徴とする無線基地局。
（付記２２）
付記１３記載の無線基地局において、
前記無線端末が自動再送要求の確認応答サブヘッダを付加した無線パケットを送信する場合、
受信した前記無線パケットに前記確認応答サブヘッダが含まれるとき、前記帯域要求量更新手段は、前記確認応答サブヘッダ分を加算して前記帯域要求量の更新を行う
ことを特徴とする無線基地局。
【図面の簡単な説明】
【０１６８】
【図１】ＩＥＥＥ８０２．１６ｄ／ｅのサービスイメージを示す図である。
【図２】ＭＳがＢＲコードを送信してから、データを送信するための帯域が割当てられるまでのシーケンスを示す図である。
【図３】ＵＬ−ＭＡＰメッセージのフォーマットを示す図である。
【図４】ＢＲヘッダ等の受信に応じて生成されるＵＬ−ＭＡＰメッセージ例を示す図である。
【図５】ＢＲヘッダを説明するための図である。
【図６】ＧＭＳＭＡＣ−ＰＤＵを説明するための図である。
【図７】パッキングの一例を示す図である。
【図８】ＰＳＨを説明するための図である。
【図９】フラグメンテーションの一例を示す図である。
【図１０】ＦＳＨを説明するための図である。
【図１１】フラグメンテーションに伴うオーバーヘッドの発生過程を示す図である。
【図１２】発明が適応される無線通信システムの一実施形態の構成図である。
【図１３】無線基地局の一実施形態のブロック構成図である。
【図１４】無線端末の一実施形態のブロック構成図である。
【図１５】ＭＳにおける送信データ（ＳＤＵ）発生時のフローチャートである。
【図１６】ＭＳにおけるデータ（ＳＤＵ）送信時のフローチャートである。
【図１７】ＢＳにおける帯域要求受信時の帯域要求量更新のフローチャートである。
【図１８】帯域要求量（ＢＲ  Ｑｕａｎｔｉｔｙ）管理テーブルの一例を示す図である。
【図１９】ＢＳにおける帯域割当て時の帯域要求量更新のフローチャートである。
【図２０】ＢＳにおけるＰＤＵ受信時の帯域要求量更新のフローチャートである。
【図２１】第１実施形態におけるフラグメント時の帯域割当／割当シーケンスである。
【図２２】第１実施形態におけるパッキング時の帯域割当／割当シーケンスである。
【図２３】第１実施形態におけるパッキング及びフラグメント時の帯域割当／割当シーケンスである。
【図２４】ＢＳにおけるパッキングとフラグメントが混在するＰＤＵの帯域割当て時の帯域要求量更新のフローチャートである。
【図２５】第２実施形態におけるフラグメント時の帯域割当／割当シーケンスである。
【図２６】第２実施形態におけるパッキング時の帯域割当／割当シーケンスである。
【図２７】第２実施形態のＢＳにおけるＰＤＵ受信時の帯域要求量更新のフローチャートである。
【図２８】第２実施形態におけるパッキング及びフラグメント時の帯域割当／割当シーケンスである。
【図２９】第２実施形態におけるパッキングとフラグメントが混在するＰＤＵ受信時の帯域要求量更新のフローチャートである。
【図３０】第３実施形態におけるフラグメント時の帯域割当／割当シーケンスである。
【図３１】ＦＳＨ、ＰＳＨ以外のサブヘッダが含まれるときのＢＳにおける帯域割当て時の帯域要求量更新のフローチャートである。
【図３２】ＡＳＨを説明するための図である。
【図３３】ＡＲＱ＿Ｂｌｏｃｋの概念図である。
【図３４】Ｓｅｌｅｃｔｉｖｅ  Ａｃｋ  ＭＡＰのフォーマットである。
【図３５】Ｓｅｌｅｃｔｉｖｅ  Ａｃｋを説明するための図である。
【図３６】Ｂｌｏｃｋ  Ｓｅｑｕｅｎｃｅを説明するための図である。
【図３７】Ｂｌｏｃｋ  Ｓｅｑｕｅｎｃｅ  ＡＣＫを説明するための図である。
【符号の説明】
【０１６９】
１０  無線基地局
１１  アンテナ
１２  デュプレクサ
１３  受信部
１４  復調部
１５  復号化部
１６  制御データ抽出部
１７  パケット再生部
２０  制御部
２１  記憶部
２２  ＮＷインタフェース部
２３  パケット識別部
２４  パケットバッファ部
２５  ＰＤＵ生成部
３０  無線端末
３１  アンテナ
３２  デュプレクサ
３３  受信処理部
３４  受信部
３５  復調部
３６  復号化部
３７  制御データ抽出部
３８  データ処理部
４０  制御部
４１  記憶部
４２  送信処理部
４３  ＰＤＵバッファ部
４４  符号化部
４５  変調部
【図１】
0005018405.tif 000002
【図２】
0005018405.tif 000003
【図３】
0005018405.tif 000004
【図４】
0005018405.tif 000005
【図５】
0005018405.tif 000006
【図６】
0005018405.tif 000007
【図７】
0005018405.tif 000008
【図８】
0005018405.tif 000009
【図９】
0005018405.tif 000010
【図１０】
0005018405.tif 000011
【図１１】
0005018405.tif 000012
【図１２】
0005018405.tif 000013
【図１３】
0005018405.tif 000014
【図１４】
0005018405.tif 000015
【図１５】
0005018405.tif 000016
【図１６】
0005018405.tif 000017
【図１７】
0005018405.tif 000018
【図１８】
0005018405.tif 000019
【図１９】
0005018405.tif 000020
【図２０】
0005018405.tif 000021
【図２１】
0005018405.tif 000022
【図２２】
0005018405.tif 000023
【図２３】
0005018405.tif 000024
【図２４】
0005018405.tif 000025
【図２５】
0005018405.tif 000026
【図２６】
0005018405.tif 000027
【図２７】
0005018405.tif 000028
【図２８】
0005018405.tif 000029
【図２９】
0005018405.tif 000030
【図３０】
0005018405.tif 000031
【図３１】
0005018405.tif 000032
【図３２】
0005018405.tif 000033
【図３３】
0005018405.tif 000034
【図３４】
0005018405.tif 000035
【図３５】
0005018405.tif 000036
【図３６】
0005018405.tif 000037
【図３７】
0005018405.tif 000038